(57)【要約】  アップリンクアクセスを要求する移動局を基地局サブシステムから動作させる方法は、第１のアクセス要求を基地局サブシステムへ送信することと、上記第１のアクセス要求の送信後の応答インターバルの期間中に、上記基地局サブシステムからの上記第１のアクセス要求に適合する割り当てメッセージを捜索することと、を含む。応答インターバルの期間中に割り当てメッセージが受信されなければ、上記第１のアクセス要求の送信後の上記応答インターバルよりも長い再送インターバルの満了後に、第２のアクセス要求が上記基地局サブシステムへ送信される。【選択図】図１１
2015513248.tif 000002
【特許請求の範囲】
【請求項１】
基地局サブシステムから、アップリンクアクセスを要求する移動局を動作させる方法であって、
第１のアクセス要求を前記基地局サブシステムへ送信することと、
前記第１のアクセス要求の送信後の応答インターバルの期間中に、前記基地局サブシステムから送信され且つ前記第１のアクセス要求に適合する割り当てメッセージを捜索することと、
前記第１のアクセス要求の送信後の、前記応答インターバルよりも長い再送インターバルの満了後に、第２のアクセス要求を前記基地局サブシステムへ送信することと、
を含む方法。
【請求項２】
前記第１のアクセス要求に適合する割り当てメッセージの捜索は、前記応答インターバルの満了後であって前記再送インターバルの満了前に終了させられる、請求項１の方法。
【請求項３】
前記応答インターバルは、第１の応答インターバルを含み、前記再送インターバルは、第１の再送インターバルを含み、前記方法は、
前記第２のアクセス要求の送信後の第２の応答インターバルの期間中に、前記基地局サブシステムから送信され且つ前記第２のアクセス要求に適合する割り当てメッセージを捜索することと、
前記第２のアクセス要求の送信後の、前記第２の応答インターバルよりも長い第２の再送インターバルの満了後に、第３のアクセス要求を前記基地局サブシステムへ送信することと、
をさらに含む、請求項１の方法。
【請求項４】
前記第２のアクセス要求の送信後の前記第２の応答インターバルの期間中の割り当てメッセージの捜索は、前記第２のアクセス要求のみに適合する割り当てメッセージを捜索すること、を含む、請求項３の方法。
【請求項５】
前記第１のアクセス要求は、第１のビットシーケンスを含み、前記第２のアクセス要求は、前記第１のビットシーケンスとは異なる第２のビットシーケンスを含み、前記第２のアクセス要求の送信後の前記第２の応答インターバルの期間中の割り当てメッセージの捜索は、前記第１のビットシーケンスに適合する割り当てメッセージを捜索することなく、前記第２のアクセス要求の前記第２のビットシーケンスに適合する割り当てメッセージを捜索すること、を含む、請求項３の方法。
【請求項６】
前記第１の及び第２の応答インターバルは、同じ期間長を有する、請求項３の方法。
【請求項７】
前記基地局サブシステムから応答時間の標識を受信すること、をさらに含み、
前記応答インターバルの期間長は、前記基地局サブシステムから受信される前記応答時間の前記標識に基づく、
請求項１の方法。
【請求項８】
前記応答時間の前記標識は、最悪のケースの応答時間の標識を含む、請求項７の方法。
【請求項９】
前記第１のアクセス要求及び前記第２のアクセス要求の送信は、前記第１のアクセス要求及び前記第２のアクセス要求をランダムアクセスチャネル上で送信すること、を含む、請求項１の方法。
【請求項１０】
前記第１のアクセス要求は、第１のパケットチャネル要求メッセージを含み、前記第２のアクセス要求は、第２のパケットチャネル要求メッセージを含む、請求項１の方法。
【請求項１１】
前記第２のアクセス要求の送信は、前記応答インターバルの期間中の前記第１のアクセス要求に適合する割り当てメッセージの受信の失敗に応じて、前記基地局サブシステムへ前記第２のアクセス要求を送信すること、を含み、
前記方法は、
前記第２のアクセス要求の送信後に、前記第２のアクセス要求に適合する割り当てメッセージを前記基地局サブシステムから受信することと、
前記割り当てメッセージの受信に応じて、パケット交換型の通信信号を前記基地局サブシステムへ送信することと、
をさらに含む、請求項１の方法。
【請求項１２】
前記第２のアクセス要求の送信は、前記応答インターバルの期間中の前記第１のアクセス要求に適合する割り当てメッセージの受信の失敗に応じて、前記第２のアクセス要求を送信すること、を含む、請求項１の方法。
【請求項１３】
前記応答インターバルは、第１の応答インターバルを含み、前記第２のアクセス要求の送信は、前記第１の応答インターバルの期間中の前記第１のアクセス要求に適合する割り当てメッセージの受信の失敗に応じて、前記第２のアクセス要求を送信すること、を含み、前記方法は、
前記第２のアクセス要求の送信後の第２の応答インターバルの期間中に、前記基地局サブシステムから送信され且つ前記第２のアクセス要求のみに適合する割り当てメッセージを捜索すること、
をさらに含む、請求項１の方法。
【請求項１４】
前記第１のアクセス要求に適合する割り当てメッセージの捜索は、前記第１の応答インターバルの期間中にのみ、前記第１のアクセス要求に適合する割り当てメッセージを捜索すること、を含み、
前記第２のアクセス要求の送信は、前記第１のアクセス要求の送信後の、前記第１の応答インターバルよりも長い再送インターバルの満了後に、前記第２のアクセス要求を送信すること、を含む、
請求項１３の方法。
【請求項１５】
前記第２の応答インターバルの期間中の前記第２のアクセス要求に適合する割り当てメッセージの受信の失敗に応じて、第３のアクセス要求を前記基地局サブシステムへ送信すること、をさらに含む、請求項１３の方法。
【請求項１６】
無線アクセスネットワークの基地局サブシステムとの無線通信を提供するように構成される送受信器と、
前記送受信器に連結されるプロセッサであって、前記送受信器を通じて第１のアクセス要求を前記基地局サブシステムへ送信し、前記第１のアクセス要求の送信後の応答インターバルの期間中に、前記基地局サブシステムから送信され且つ前記第１のアクセス要求に適合する割り当てメッセージを捜索し、前記第１のアクセス要求の送信後の、前記応答インターバルよりも長い再送インターバルの満了後に、前記送受信器を通じて第２のアクセス要求を前記基地局サブシステムへ送信する、ように構成される前記プロセッサと、
を備える移動局。
【請求項１７】
前記プロセッサは、前記第１のアクセス要求に適合する割り当てメッセージの捜索を、前記応答インターバルの満了後であって前記再送インターバルの満了前に終了させる、ように構成される、請求項１６の移動局。
【請求項１８】
前記応答インターバルは、第１の応答インターバルを含み、前記再送インターバルは、第１の再送インターバルを含み、前記プロセッサは、
前記第２のアクセス要求の送信後の第２の応答インターバルの期間中に、前記基地局サブシステムから送信され且つ前記第２のアクセス要求に適合する割り当てメッセージを捜索し、
前記第２のアクセス要求の送信後の、前記第２の応答インターバルよりも長い第２の再送インターバルの満了後に、前記送受信器を通じて第３のアクセス要求を前記基地局サブシステムへ送信する、
ようにさらに構成される、請求項１６の移動局。
【請求項１９】
移動局と通信する基地局サブシステムを動作させる方法であって、
前記移動局から受信されるアクセス要求に応じて期間内に割り当てメッセージが送信されることになる当該期間を定義する応答時間を決定することと、
前記応答時間の標識を前記移動局へ送信することと、
を含む方法。
【請求項２０】
前記応答時間は、最悪のケースの応答時間の標識を含む、請求項１９の方法。
【請求項２１】
前記応答時間の前記標識の送信は、前記応答時間の前記標識をブロードキャスト制御チャネル上で送信すること、を含む、請求項１９の方法。
【請求項２２】
前記応答時間の決定は、現行の通信トラフィックに応じて前記応答時間を決定すること、を含む、請求項１９の方法。
【請求項２３】
無線アクセスネットワーク内の基地局サブシステムであって、
移動局との無線通信を提供するように構成される送受信器と、
前記送受信器に連結されるプロセッサであって、前記移動局から受信されるアクセス要求に応じて期間内に割り当てメッセージが送信されることになる当該期間を定義する応答時間を決定し、前記送受信器を通じて前記応答時間の標識を前記移動局へ送信する、ように構成される前記プロセッサと、
を備える基地局サブシステム。
【請求項２４】
前記応答時間は、最悪のケースの応答時間の標識を含む、請求項２３の基地局サブシステム。
【請求項２５】
前記プロセッサは、前記送受信器を通じてブロードキャスト制御チャネル上で前記応答時間の前記標識を送信する、ように構成される、請求項２３の基地局サブシステム。
【請求項２６】
前記プロセッサは、現行の通信トラフィックに応じて前記応答時間を決定する、ように構成される、請求項２３の基地局サブシステム。
【発明の詳細な説明】
【技術分野】
【０００１】
［関連出願への相互参照］
本出願は、２０１２年２月１６日に提出された、“S,  T  and  BSS  Response  Time  Based  MS  Power  Savings”というタイトルの米国仮特許出願第６１／５９９，５９１号からの優先権の利益を主張し、その開示は全体として参照によりここに取り入れられる。
【０００２】
［技術分野］
本開示は、無線通信を対象とし、より具体的には、ネットワークアクセス方法、並びに関連する移動局及び基地局サブシステムを対象とする。
【背景技術】
【０００３】
典型的なセルラー無線システムにおいて、移動局（ユーザ機器ユニットノード（ＵＥ）及び/又は無線端末ともいう）は、無線アクセスネットワーク（ＲＡＮ）を介して、１つ以上のコアネットワークと通信する。ＲＡＮは、複数のセルエリアへ分割される地理的エリアをカバーし、各セルエリアは、基地局サブシステム（無線基地局、基地局、ＲＡＮノード、“ＮｏｄｅＢ”及び/又は拡張ＮｏｄｅＢ“ｅＮｏｄｅＢ”ともいう）によってサービスされる。セルエリアは、基地局サブシステムのサイトにおける基地局サブシステムの機器によって無線カバレッジが提供される地理的エリアである。基地局サブシステムは、当該基地局サブシステムのレンジ内の移動局と、ワイヤレス無線通信チャネルを通じて通信する。
【０００４】
基地局サブシステムと通信する移動局は、基地局サブシステムへの送信用のデータを有する場合に、ランダムアクセスチャネル上でアクセス要求を送信し、そのアクセス要求に応じて、基地局サブシステムは、当該移動局によるアップリンクデータ送信に割り当てられたアップリンクリソースを識別する割り当てメッセージを送信する。しかしながら、基地局サブシステムは、例えば次のような状況においては、移動局により送信された第１のアクセス要求に応答しないかも知れない：（１）同時に他の移動局により送信された他のアクセス要求との衝突（即ち、干渉）が存在するために、第１のアクセス要求が基地局サブシステムにより受信されない場合、（２）移動局が相対的に優先度の低い移動局であるために、より優先度の高い移動局からの要求が優先されて、第１のアクセス要求が無視される場合、（３）基地局サブシステムが（例えば、高トラフィックの期間中で）全てのアクセス要求に応答するには不十分なリソースしか有しない場合。従って、移動局は、アップリンクデータ送信のためのアップリンクリソースを識別する割り当てメッセージを受信する前に、複数のアクセス要求を、それぞれの再送インターバルで時間的に分離して送信する必要があり得る。
【０００５】
割り当てメッセージの受信前に再送インターバルで分離された複数のアクセス要求を移動局が送信する状況では、当該複数のアクセス要求の送信の間の再送インターバルの期間中に、基地局サブシステムからの割り当てメッセージを移動局が捜索する（例えば、監視し又はサーチする）ことを要する。それら再送インターバルにわたって広がる監視期間は、移動局における処理リソースの浪費、移動局における電力の浪費、及び/又は移動局のバッテリ寿命の減少を招来し得る。
【発明の概要】
【発明が解決しようとする課題】
【０００６】
従って、目的は、上で言及した欠点の少なくともいくつかを解決し、及び/又は無線通信システムにおける性能を改善することであり得る。本発明概念のいくつかの実施形態は、例えば、移動局における電力消費を削減し、移動局における処理リソースの消費を削減し、及び/又は移動局におけるバッテリ寿命を増加させ得る。
【課題を解決するための手段】
【０００７】
ここで開示される第１の実施形態によれば、基地局サブシステムから、アップリンクアクセスを要求する移動局を動作させる方法は、第１のアクセス要求を基地局サブシステムへ送信すること、を含む。上記第１のアクセス要求の送信後の応答インターバルの期間中に、移動局は、上記基地局サブシステムから送信され且つ上記第１のアクセス要求に適合する割り当てメッセージを捜索する。上記第１のアクセス要求の送信後の、再送インターバルの満了後に、第２のアクセス要求が上記基地局サブシステムへ送信され、上記再送インターバルは、上記応答インターバルよりも長い。より具体的には、上記第１のアクセス要求に適合する割り当てメッセージの捜索は、上記応答インターバルの満了後であって上記再送インターバルの満了前に終了させられる。あるアクセス試行についてアクセス要求の送信／再送の間に再送インターバルよりも小さい応答インターバルを提供することで、適合する割り当てメッセージをアクセス試行についてのアクセス要求の間の時間の全体にわたって捜索することを、移動端末は要しない。それに応じて、移動局において電力消費及び／若しくは処理オーバヘッドは削減され、並びに／又は移動局においてバッテリ寿命は増加し得る。
【０００８】
第１の実施形態のいくつかの観点によれば、上記応答インターバルは、第１の応答インターバルであり、上記再送インターバルは、第１の再送インターバルである。加えて、移動局は、上記第１の応答インターバルの期間中の上記第１のアクセス要求に適合する割り当てメッセージの受信の失敗に応じて、上記第２のアクセス要求の送信後の第２の応答インターバルの期間中に、上記基地局サブシステムから送信され上記第２のアクセス要求に適合する割り当てメッセージを捜索する。移動局は、上記第２の応答インターバルの期間中の上記第２のアクセス要求に適合する割り当てメッセージの受信の失敗に応じて、上記第２のアクセス要求の送信後の、第２の再送インターバルの満了後に、第３のアクセス要求を上記基地局サブシステムへ送信し、上記第２の再送インターバルは、上記第２の応答インターバルよりも長い。
【０００９】
第１の実施形態のいくつかの観点によれば、上記第２のアクセス要求の送信後の上記第２の応答インターバルの期間中の割り当てメッセージの捜索は、上記第２のアクセス要求のみに適合する割り当てメッセージを捜索すること、を含む。例えば、上記第１のアクセス要求は、第１のビットシーケンスを含み、上記第２のアクセス要求は、上記第１のビットシーケンスとは異なる第２のビットシーケンスを含んでよく、上記第２のアクセス要求の送信後の上記第２の応答インターバルの期間中の割り当てメッセージの捜索は、上記第１のビットシーケンスに適合する割り当てメッセージを捜索することなく、上記第２のアクセス要求の上記第２のビットシーケンスに適合する割り当てメッセージを捜索すること、を含み得る。直近のアクセス要求にのみ適合する割り当てメッセージを捜索することにより、移動局の処理オーバヘッド及び／又は電力消費は削減され得る。
【００１０】
第１の実施形態のいくつかの観点によれば、上記第１の及び第２の応答インターバルは、同じ期間長を有する。より具体的には、応答時間の標識が上記基地局サブシステムから受信されてもよく、上記応答インターバルの期間長は、上記基地局サブシステムから受信される上記応答時間の上記標識に基づく。さらに、上記応答時間の上記標識は、最悪のケースの応答時間の標識を含んでもよい。基地局の最悪ケースの応答時間と同じような長さの応答インターバルを提供することで、基地局サブシステムにより送信される割り当てメッセージを見失うリスクを有意に増加させることなく、移動局の処理オーバヘッド及び電力消費を削減し得る。
【００１１】
第１の実施形態のいくつかの観点によれば、上記第２のアクセス要求は、上記第１の応答インターバルの期間中の上記第１のアクセス要求に適合する割り当てメッセージの受信の失敗に応じて上記基地局サブシステムへ送信される。加えて、上記第２のアクセス要求の送信後に、上記第２のアクセス要求に適合する割り当てメッセージが上記基地局サブシステムから受信された場合、上記割り当てメッセージの受信に応じて、パケット交換型の通信信号が上記基地局サブシステムへ送信される。
【００１２】
ここで開示される第２の実施形態によれば、基地局サブシステムから、アップリンクアクセスを要求する移動局を動作させる方法は、第１のアクセス要求を基地局サブシステムへ送信すること、を含む。上記第１のアクセス要求の送信後の第１の応答インターバルの期間中に、移動局は、上記基地局サブシステムから送信され且つ上記第１のアクセス要求に適合する割り当てメッセージを捜索する。移動局は、上記第１の応答インターバルの期間中の上記第１のアクセス要求に適合する割り当てメッセージの受信の失敗に応じて、第２のアクセス要求を上記基地局サブシステムへ送信する。上記第２のアクセス要求の送信後の第２の応答インターバルの期間中に、移動局は、上記基地局サブシステムから送信され且つ上記第２のアクセス要求のみに適合する割り当てメッセージを捜索する。上記第２の応答インターバルの期間中に（上記第１のアクセス要求に適合する割り当てメッセージを捜索することなく）上記第２のアクセス要求のみに適合する割り当てメッセージを捜索することで、移動局において電力消費及び／若しくは処理オーバヘッドは削減され、並びに／又は移動局においてバッテリ寿命は増加し得る。
【００１３】
第２の実施形態のいくつかの観点によれば、上記第１のアクセス要求に適合する割り当てメッセージの捜索は、上記第１の応答インターバルの期間中にのみ、上記第１のアクセス要求に適合する割り当てメッセージを捜索すること、を含み、上記第２のアクセス要求の送信は、上記第１のアクセス要求の送信後の、上記第１の応答インターバルよりも長い再送インターバルの満了後に、上記第２のアクセス要求を送信すること、を含む。上で議論したように、あるアクセス試行についてアクセス要求の送信／再送の間に再送インターバルよりも小さい応答インターバルを提供することで、適合する割り当てメッセージをアクセス試行についてのアクセス要求の間の時間の全体にわたって捜索することを、移動端末は要しない。それに応じて、移動局において電力消費及び／若しくは処理オーバヘッドは削減され、並びに／又は移動局においてバッテリ寿命は増加し得る。
【００１４】
ここで開示される第３の実施形態によれば、基地局サブシステムを動作させる方法は、移動局から受信されるアクセス要求に応じて期間内に割り当てメッセージが送信されることになる当該期間を定義する応答時間を決定することと、上記応答時間の標識を上記移動局へ送信することと、を含む。上記応答時間に関する情報を移動局へ提供することにより、移動局は、アクセス試行の期間中の割り当てメッセージの捜索に費やす時間を削減し得ることになり、よって移動局の電力消費が削減され、移動局の処理オーバヘッドが削減され、及び／又は移動局のバッテリ寿命が増加する。
【００１５】
第３の実施形態のいくつかの観点によれば、上記応答時間は、最悪のケースの応答時間の標識を含む。さらに、上記応答時間の上記標識の送信は、上記応答時間の上記標識をブロードキャスト制御チャネル上で送信すること、を含み、及び／又は、上記応答時間を決定することは、現行の（current）通信トラフィックに応じて上記応答時間を決定すること、を含む。上記を提供することで、移動局の応答インターバルは基地局の最悪ケースの応答時間と同じような長さとなり、基地局サブシステムにより送信される割り当てメッセージを見失う移動局のリスクを有意に増加させることなく、移動局の処理オーバヘッド及び電力消費を削減し得る。
【００１６】
ここで開示される第４の実施形態によれば、移動局は、無線アクセスネットワークの基地局サブシステムとの無線通信を提供するように構成される送受信器と、上記送受信器に連結されるプロセッサと、を含む。上記プロセッサは、上記送受信器を通じて第１のアクセス要求を上記基地局サブシステムへ送信し、上記第１のアクセス要求の送信後の応答インターバルの期間中に、上記基地局サブシステムから送信され且つ上記第１のアクセス要求に適合する割り当てメッセージを捜索し、上記第１のアクセス要求の送信後の、再送インターバルの満了後に、上記送受信器を通じて第２のアクセス要求を上記基地局サブシステムへ送信する、ように構成される。さらに、上記再送インターバルは、上記応答インターバルよりも長い。
【００１７】
ここで開示される第５の実施形態によれば、無線アクセスネットワーク内の基地局サブシステムは、移動局との無線通信を提供するように構成される送受信器と、上記送受信器に連結されるプロセッサと、を含む。上記プロセッサは、上記移動局から受信されるアクセス要求に応じて期間内に割り当てメッセージが送信されることになる当該期間を定義する応答時間を決定し、上記送受信器を通じて上記応答時間の標識を上記移動局へ送信する、ように構成される。
【図面の簡単な説明】
【００１８】
本開示のさらなる理解を提供するために包含されており、本出願に取り入れられその一部を構成する添付図面は、ある発明概念の非限定的な実施形態を例示する。図面は次の通りである：
【００１９】
【図１】いくつかの実施形態に係るパラメータＴ（Ｔｘ−Ｉｎｔｅｇｅｒ）の候補値に対応するパラメータＳの値を例示する表である。
【図２】いくつかの実施形態に係る再送インターバル（時間インターバル及び/又は送信インターバルともいう）及び応答インターバルを例示するタイミング図である。
【図３】いくつかの実施形態に係る様々な基地局サブシステム応答時間を用いた、処理時間及び/又は電力消費のあり得る節約を例示する表である。
【図４】いくつかの実施形態に係る様々な基地局サブシステム応答時間を用いた、処理時間及び/又は電力消費のあり得る節約を例示する表である。
【図５】いくつかの実施形態に係る様々な基地局サブシステム応答時間を用いた、処理時間及び/又は電力消費のあり得る節約を例示する表である。
【図６】いくつかの実施形態に係る様々な基地局サブシステム応答時間を用いた、処理時間及び/又は電力消費のあり得る節約を例示する表である。
【図７Ａ】いくつかの実施形態に係る様々な基地局サブシステム応答時間を用いた、処理時間及び/又は電力消費のあり得る節約を例示する表である。
【図７Ｂ】いくつかの実施形態に係る様々な基地局サブシステム応答時間を用いた、処理時間及び/又は電力消費のあり得る節約を例示する表である。
【図８】いくつかの実施形態に従って構成される通信システムのブロック図である。
【図９】いくつかの実施形態に係る図８の基地局サブシステムＢＳＳ及び移動局ＭＳを例示するブロック図である。
【図１０】いくつかの実施形態に係る基地局サブシステムＢＳＳと移動局ＭＳとの間のシグナリングを例示するシグナリング図である。
【図１１】いくつかの実施形態に係る移動局の動作を例示するフローチャートである。
【図１２】いくつかの実施形態に係る基地局サブシステムの動作を例示するフローチャートである。
【発明を実施するための形態】
【００２０】
これより、発明概念の例が示された添付図面を参照しながら、より充分に発明概念が説明されるであろう。これら発明概念は、しかしながら、多くの様々な形式で具現化されてよく、ここで述べられる実施形態に限定して解釈されるべきではない。むしろ、それら実施形態は、本開示が綿密で完結的なものとなり、当業者に本発明概念の範囲が十分に伝わるように提供される。また、留意すべきこととして、それら実施形態は、相互排他的ではない。１つの実施形態からのコンポーネントが他の実施形態に存在し／使用されることが暗黙的に想定され得る。
【００２１】
単に例示及び説明の目的のために、本発明概念のこれら及び他の実施形態は、無線通信チャネル上で移動局（無線端末又はＵＥともいう）と通信するＲＡＮでの動作の文脈においてここで説明される。しかしながら、本発明概念は、そうした実施形態には限定されず、概して、任意のタイプの通信ネットワークにおいて具現化されてよいことが理解されるであろう。ここで使用されるところでは、移動局（無線端末又はＵＥともいう）は、通信ネットワークからデータを受信する任意のデバイスであってよく、限定ではないものの、携帯電話（“セルラー”電話）、ラップトップ／ポータブルコンピュータ、ポケットコンピュータ、手持ち型コンピュータ、デスクトップコンピュータ、及び／又はＭＴＣ（machine-type  communications）デバイスを含み得る。
【００２２】
ＲＡＮのいくつかの実施形態では、複数の基地局サブシステムが（例えば、地上回線又は無線チャネルによって）無線ネットワークコントローラ（ＲＮＣ）に接続され得る。基地局コントローラ（ＢＳＣ）と称されることもある無線ネットワークコントローラは、そこに接続される複数の基地局サブシステムの多様なアクティビティを監督し及び協調させる。無線ネットワークコントローラは、典型的には、１つ以上のコアネットワークへ接続される。
【００２３】
ＧＰＲＳ（ General  Packet  Radio  Service）  ＥＤＧＥ（Enhanced  Data  Rates  for  the  Global  System  for  Mobile  Communications）のＲＡＮ（Radio  Access  Networks）（ＧＥＲＡＮともいう）は、ＧＳＭ（Global  System  for  Mobile  Communications）から発展した。本開示では発明概念の実施形態を例示するために３ＧＰＰ（3rd  Generation  Partnership  Project）のＧＥＲＡＮからの専門用語が使用されるが、これは発明概念の範囲をそれらシステムに限定するものと理解すべきではないことに留意されたい。ＬＴＥ（Long  Term  Evolution）、ＷＣＤＭＡ（Wideband  Code  Division  Multiple  Access）、ＷｉＭａｘ（Worldwide  Interoperability  for  Microwave  Access）、ＵＷＢ（Ultra  Mobile  Broadband）、ＨＳＤＰＡ（High-Speed  Downlink  Packet  Access）、ＧＳＭ（Global  System  for  Mobile  Communications）などを含む他の無線システムもまた、ここで開示される本発明概念の実施形態を利用することから恩恵を受け得る。
【００２４】
また、基地局サブシステム（例えば、ＢＳＳ、基地局、ＮｏｄｅＢ、ｅＮｏｄｅＢ又は拡張ＮｏｄｅＢ）及び移動局（例えば、ＭＳ、無線端末、ＵＥ又はユーザ機器）といった専門用語は、非限定的に考慮すべきであり、それら２つの間の何らかの階層的な関係を示唆しないことに留意されたい。概して、基地局サブシステム（例えば、ＢＳＳ）及び移動局（例えば、ＭＳ）は、ワイヤレス無線チャネル上で互いに通信するそれぞれ異なる通信デバイスの例であると見なされる。ここで議論される実施形態は移動局ＭＳから基地局サブシステムＢＳＳへのアップリンクにおける無線送信に焦点を当てるが、発明概念の実施形態は、例えばダウンリンクにも適用されることができる。
【００２５】
図８は、本発明概念のいくつかの実施形態に従って動作するように構成される通信システムのブロック図である。一例としてのＲＡＮ６０は、ＧＥＲＡＮであり得るように示されている。無線基地局サブシステムＢＳＳ１００は、１つ以上のコアネットワーク７０と直接的に接続され得る。無線基地局サブシステム１００は、それぞれの通信サービスセル（カバレッジエリアともいう）の範囲内の移動局ＭＳ（無線端末、ユーザ機器ノード又はＵＥともいう）２００と、無線チャネル３００上で通信する。無線基地局サブシステム（ＢＳＳ）１００は、当業者には知られているように、Ａ／Ｇｂインタフェースを通じて、互いに及び／又はコアネットワークと通信することができる。
【００２６】
図９は、本発明概念のいくつかの実施形態に係る、無線チャネル３００上で通信する図８の基地局サブシステムＢＳＳ１００及び移動局ＭＳ２００のブロック図である。図示したように、基地局サブシステム１００は、プロセッサ１０１と（例えば、複数のアンテナのアレイを含む）アンテナ１１７との間に連結される送受信器１０９と、プロセッサ１０１に連結されるメモリ１１８と、を含み得る。さらに、移動局ＭＳ２００は、アンテナ２１７とプロセッサ２０１との間に連結される送受信器２０９と、プロセッサ２０１に連結されるユーザインタフェース２２１と、プロセッサ２０１に連結されるメモリ２１８と、を含み得る。これに応じ、基地局のプロセッサ１０１は、送受信器１０９及びアンテナ１１７を通じて通信信号を送信し、当該通信信号は、アンテナ２１７及び送受信器２０９を通じて移動局のプロセッサ２０１において受信される。他の方向において、移動局のプロセッサ２０１は、送受信器２０９及びアンテナ２１７を通じて通信信号を送信し、当該通信信号は、アンテナ１１７及び送受信器１０９を通じて基地局のプロセッサ１０１において受信される。ＭＩＭＯをサポート（同じＴＦＲＥを用いてデータの複数のレイヤ／ストリームの並列的送信を可能とする）するために、アンテナ１１７及び２１７の各々は、アンテナエレメントのアレイを含むことができる。図９の移動局２００は、無線通信を提供する、例えばセルラー無線電話、スマートフォン、ラップトップ／ネットブック／タブレット／手持ち型コンピュータ、ＭＴＣ（machine-type  communications）デバイス、又は他の任意のデバイスであってよい。ユーザインタフェース２１１は、例えば、ＬＣＤ（liquid  crystal  display）といった視覚的ディスプレイ、タッチ反応式視覚ディスプレイ、キーパッド、スピーカ、マイクロフォンなどを含み得る。例示の手法でユーザインタフェース２２１が示されているが、移動局ＭＳ２００は、例えば移動局ＭＳ２００がリモートセンサといったＭＴＣデバイスである場合には、ユーザインタフェースを含まなくてもよい。
【００２７】
移動局ＭＳがＲＡＣＨ（Random  Access  Channel）上で送信したチャネルアクセス要求（チャネル要求ともいう）に応じて適合する（matching）割り当てメッセージをＡＧＣＨ（Access  Grant  Channel）上で検出することを試行する場合に使用されるメカニズムを考慮すると、電力の節約を、移動局ＭＳが適合する割り当てメッセージを捜索（例えば、監視、サーチなど）しながらＡＧＣＨを監視するやり方を修正することにより実現することができる。改善されたバッテリ寿命は、例えば次のケースで望ましいであろう：
・延長したバッテリ寿命を通じて増加し／最大化する接続時間がクリティカルな／重要な／望ましいものであり得る、外部電源の無いリモートデバイスのため。
・ＣＣＣＨ輻輳の期間中にＭＴＣ（Machine-Type-Communication）デバイスから受信されるアクセス要求の優先度を下げる（低アクセス優先度に構成する）ことを選好するネットワークのため。
・所与のアクセス試行が複数回のアクセス要求の送信をもたらすことの多い、名目上のものより小さいカバレッジ又は輻輳を頻繁に経験するデバイスのため。
・外部電源へのアクセスを有するがバッテリ充電の頻度を低減／最小化することで全体的なユーザ体験を改善するデバイスのため。
【００２８】
アクセス要求及び適合する応答についての手続の分析であって、様々な最悪のケースでのＢＳＳ応答時間を伴うＳ及びＴについての値を考慮する分析が、電力消費を削減し及び／又は移動局のバッテリ寿命を増加させるために行われる。Ｔはブロードキャスト制御チャネルＢＣＣＨ上でブロードキャストされるパラメータ“Ｔｘ−ｉｎｔｅｇｅｒ”の値（図１の表の第１行参照）であり、ＭはＢＣＣＨ上でブロードキャストされるパラメータ“ｍａｘ  ｒｅｔｒａｎｓ”（最大の再送回数）の値である（即ち、Ｍ＝１，２，４又は７）。Ｓは、ＣＣＣＨ構成に依存し及びＴｘ−ｉｎｔｅｇｅｒの値に依存するパラメータであって、図１の表の第３行にて定義された通りである。
【００２９】
最適化され／改善されたシステムアクセス手続（ＯＳＡＰ）は、ＡＧＣＨ（Access  Grant  Channel）のキャパシティを向上させ／改善することのできるメカニズムである。ＯＳＡＰシステムアクセス手続によれば、ＡＧＣＨ上で送信される割り当てメッセージ内のＭＳ（移動局）固有の情報の量は、新たなＢＣＣＨ（Broadcast  Control  Channel）情報とアップリンクＴＢＦ（Temporary  Block  Flow）の確立のために必要とされる補助的情報を提供するＰＡＣＣＨ（Packet  Associated  Control  Channel）シグナリングとを用いることにより、低減され／最小化されることができる。加えて、ＯＳＡＰシステムアクセス手続の一部にさらなる検討が付与され、ＭＳは、ＲＡＣＨ上で送信したＥＰＣＲ（Enhanced  Packet  Channel  Request）メッセージに対して、ＢＳＳ（基地局サブシステム、基地局ともいう）によりＡＧＣＨ上で送信されるＥＩＡ（Enhanced  Immediate  Assignment）メッセージとの照合を試行する。
【００３０】
ＯＳＡＰベースのシステムアクセスを試行するＭＳは、まず、ＥＰＣＲチャネル要求メッセージの送信をスケジューリングし、そして、次のような手法でＲＡＣＨ（Random  Access  Channel）上でＭ＋１個までのＥＰＣＲパケットチャネル要求メッセージを送信する：
・ページング応答の送信のケース以外のＰＳ（パケット交換型）接続のためのリソースを要求する場合、移動局は、移動局のＲＡＣＨに属する第１の利用可能なＴＤＭＡフレームにおいて、第１のＥＰＣＲパケットチャネル要求メッセージを送信する。
・他の全てのケースで、ＯＳＡＰシステムアクセス手続の開始と第１のＥＰＣＲパケットチャネル要求メッセージとの間の移動局のＲＡＣＨに属するスロットの数（当該メッセージ自体を含むスロットを除く）は、各々の新たな初期割り当ての開始について、集合｛０，１，…，ｍａｘ（Ｔ，８）−１｝内で一様な確立分布でランダムに振り出されるランダム値である。
・２つの連続するＥＰＣＲパケットチャネル要求メッセージの間の移動局のＲＡＣＨに属するスロットの数（それらメッセージ自体を含むスロットを除く）は、各々の新たな送信について、集合｛Ｓ，Ｓ＋１，…，Ｓ＋Ｔ−１｝内で一様な確立分布でランダムに振り出されるランダム値である。
【００３１】
Ｔは、ＢＣＣＨ上でブロードキャストされるパラメータ“Ｔｘ−ｉｎｔｅｇｅｒ”の値であり（図１の表参照）、ＭはＢＣＣＨ上でブロードキャストされるパラメータ“ｍａｘ  ｒｅｔｒａｎｓ”（あるいは最大の再送回数）の値である（即ち、Ｍ＝１，２，４又は７）。Ｓは、ＣＣＣＨ（Common  Control  Channel）構成に依存し及びＴｘ−ｉｎｔｅｇｅｒの値に依存するパラメータであって、図１の表にて定義された通りである。
【００３２】
第１のＥＰＣＲ拡張パケットチャネル要求メッセージの送信後に、移動局ＭＳは、自身が送信した最後の３回のＥＰＣＲ拡張パケットチャネル要求メッセージのうちの１つに対応する適合するＥＩＡ（Enhanced  Immediate  Assignment）メッセージを発見するための試行において、自身のＣＣＣＨグループに対応するダウンリンクＣＣＣＨタイムスロットの全体をリッスンし始める。
−Ｍ＋１個の（即ち、許容される最大の）ＥＰＣＲパケットチャネル要求メッセージを送信すると、移動局のＲＲ（ラウンドロビンスケジューラ）エンティティは、タイマＴ３１２６を開始する。
−Ｔ３１２６の最大値を、移動局のＲＡＣＨのＴ＋２Ｓ個のスロットに要する時間に等しくすることができ（Ｓ及びＴの値については図１の表参照）、このタイマの最大許容値は５秒に制限される。
−タイマＴ３１２６の満了時に、ＯＳＡＰシステムアクセス手続は中断される。ＯＳＡＰシステムアクセス手続がＭＭ（モビリティ管理）サブレイヤからの要求によりトリガされた場合、ＭＭサブレイヤにランダムアクセスの失敗が示される。
−（最大数のＥＰＣＲパケットチャネル要求メッセージが送信されたかに関わらず、稼動中であればＴ３１２６の満了の前の）任意の時点で、適合するＥＩＡメッセージが発見されると、移動局ＭＳは、適合するＥＩＡメッセージに対して動作し、ＯＳＡＰベースのシステムアクセスを進めて、この場合ＡＧＣＨ上でのさらなるＥＩＡメッセージの捜索を停止する。
【００３３】
ここで開示されるいくつかの実施形態において、考慮されるＣＣＣＨ（Common  Control  Channel）構成の属性及びパラメータは、次を含む：
・Ｓ＝１０９、ＴＸ−ｉｎｔｅｇｅｒ（Ｔ）＝２０（“GERAN  Improvements  For  Machine-Type  Communications”というタイトルの２０１２年１１月の３ＧＧＰ  ＴＲ４３．８６８，Ｖ１２．０．０の表５の通り。その開示は全体として参照によりここに取り入れられる）、Ｍａｘ  ｒｅｔｒａｎｓ（Ｍ）＝４、（Ｓ）＝１０９、及び、送信される各アクセス要求は、８個のランダムビットを含むＥＰＣＲパケットチャネル要求メッセージである。
・ＴＤＭＡ（Time  Division  Multiple  Access）フレームごとに１つのアップリンクスロットがＲＡＣＨとして割り当てられる（即ち、ＣＣＣＨアップリンクは、毎ＴＤＭＡフレーム＝４．６１５ｍｓに１回発生するＲＡＣＨバーストのみからなる）。
・８ビットのＦＮ（フレーム番号）情報が、ＡＧＣＨ上で送信されるＥＩＡ（Enhanced  Immediate  Assignment）メッセージにより宛て先とされる各移動局ＭＳのために提供される。これは、ＥＩＡメッセージにより提供されるＦＮ情報の任意のインスタンスが１．１８秒のインターバルで発生するＴＤＭＡフレームを反映するであろうことを意味する（即ち、ＴＤＭＡフレーム番号の下８桁のビットは２５６＊４．６１５ｍｓ＝１．１８秒ごとに繰り返される）。
・移動局は、適合するＦＮ情報を伴う割り当てメッセージを、自身の最後の３回のアクセス試行のうちの１つのアドレスを有する場合にのみ正当なものとして扱うとはいえ、所与のＥＩＡメッセージがどれほど遅延するかを知らないかもしれない（即ち、移動局は、ＲＡＣＨ上のＥＰＣＲパケットチャネル要求メッセージについての最悪ケースのＢＳＳ応答時間を知らないかもしれない）。この例のために、５００ｍｓという最悪ケースのＢＳＳ応答時間が仮定される。
・ＯＳＡＰシステムアクセス手続によれば、ＭＳは、ＥＩＡメッセージが自身の最後に送信した３回分のＥＰＣＲパケットチャネル要求メッセージのうちの１つに対応する場合に、ＥＩＡメッセージを潜在的に適合する割り当てメッセージとして考慮するのみである。言い換えれば、移動局ＭＳは、潜在的に適合する割り当てメッセージを受信したのかの判定を試行する際に、所与のＥＩＡメッセージ内で受信したＦＮ情報を、自身の最後に送信した３回分のＥＰＣＲパケットチャネル要求メッセージに関連付けられるＴＤＭＡフレーム番号の下８桁のビットと比較するのみである。
・タイマＴ３１２６（最大許容数のＥＰＣＲパケットチャネル要求メッセージの送信後に開始される）は、最大で５秒までとして、（Ｔ＋２Ｓ）個のＴＤＭＡフレームに等しい期間長を有することができる（１ＴＤＭＡフレーム＝４．６１ｍｓ）。
【００３４】
所与のシステムアクセス試行の初期のアクセス要求（ＥＰＣＲパケットチャネル要求メッセージ）は、時刻ｔ＝ＴｉにおいてＲＡＣＨ上で送信され、続けて、４回の追加的なアクセス要求（ＥＰＣＲパケットチャネル要求）が、レンジ｛Ｓ，Ｓ＋１，…，Ｓ＋Ｔ−１｝＝｛１０９，１１０，…，１２８｝のＴＤＭＡフレーム内でランダムに間隔を空けたＲＡＣＨスロットを用いて送信される。
・２つの連続するアクセス要求の間の最小の間隔は、従って、１０９個のＴＤＭＡフレーム（５０３ｍｓ）であり、最大の間隔は１２８個のＴＤＭＡフレーム（５９１ｍｓ）であり、平均的な間隔は１１９個のＴＤＭＡフレーム（５４９ｍｓ）である。
・この例について、図２に示したように、２番目のアクセス要求は時刻ｔ＝Ｔａ（Ｔｉ＋５４９ｍｓ）に送信され、３番目のアクセス要求は時刻ｔ＝Ｔｂ（Ｔａ＋５０３ｍｓ）に送信され、４番目のアクセス要求は時刻ｔ＝Ｔｃ（Ｔｂ＋５４９ｍｓ）に送信され、５番目の（及び最後の）アクセス要求は時刻ｔ＝Ｔｄ（Ｔｃ＋５０３ｍｓ）に送信される。
・最後のアクセス要求をｔ＝Ｔｄに送信した後に、移動局ＭＳは、タイマＴ３１２６の定義に従って、１２０個のＴＤＭＡフレーム（Ｔ＋２Ｓ＝２３８ＴＤＭＡフレーム＝１０９８ｍｓ）にわたって自身の最後から３回分のアクセス要求のうちの１つに対応する適合する割当てメッセージを捜索（例えば、監視、サーチなど）し続ける。
・なお、適合する即時割り当て（ＩＡ）メッセージを移動局ＭＳ１が捜索する（例えば、監視、サーチなど）再送インターバルに関わらず、同じ要求リファレンス情報を同時に（即ち、同じＲＡＣＨバースト）用いた２つの移動局によるシステムアクセスの試行の間の衝突の確率は、無視し得るほど小さいものと見なされてよい。言い換えれば、２つの移動局が共に同じＦＮ情報で（即ち、同じＲＡＣＨバーストをＸを法とするＦＮの剰余の値が同じとなるように用いて）及び同じランダムアクセス情報で（即ち、ＥＰＣＲメッセージを構成する、識別用ビットシーケンス内への包含のための同じランダムビットを選択して）チャネル要求を送信する確率は非常に低い。ここで、Ｘは、ＴＤＭＡ（時分割多重アクセス）フレーム番号の衝突についての受入可能な確率を反映して設定される。例えば、Ｘ＝２５６について、２５６を法とするＦＮの剰余が同じ値を有するアップリンクバースト間の時間は１．１８秒（即ち、各ＴＤＭＡフレーム＝４．６１５ｍｓであり、２５６＊４．５１６ｍｓ＝１．１８秒である）
【００３５】
レガシー動作によれば、移動局ＭＳにとって所与のＩＡメッセージがどれほど遅延されるかが既知ではないことから、移動局ＭＳは、適合する即時割り当て（ＩＡ）メッセージを、それが自身の最後から３回分のアクセス要求のうちの１つに適合する場合に有効なものとして扱うのみである。これは、移動局ＭＳがＲＡＣＨランダムアクセスチャネル上のチャネル要求メッセージについての最悪ケースのＢＳＳ応答時間を知らないためである。５００ｍｓという最悪ケースのＢＳＳ応答時間を想定し、図２に示した５回の再送インターバルを考慮して、図２の再送インターバルが以下に議論されるように適用される。
【００３６】
再送インターバル１  ＴＩ−１（時間インターバル１ともいう）は、時刻ｔ＝Ｔｉに開始する再送インターバルであり、この時に移動局ＭＳ１は初期のアクセス要求を送信し、当該再送インターバルは時刻ｔ＝Ｔａに２番目のアクセス要求が送信される直前に終了する（即ち、５４９ｍｓのインターバル）。
・５００ｍｓの最悪ケースのＢＳＳ応答時間が想定されていることから、再送インターバル１（ＴＩ−１）において受信される割り当てメッセージは、時刻ｔ＝Ｔｉに送信されたアクセス要求のみを反映する（即ちｔ＝Ｔｉに送信されるＴＤＭＡフレームと同じ８桁のＬＳＢあるいは下位ビットを有するはずのｔ＝Ｔｉ−１．１８に送信されるアクセス要求をも潜在的に反映することはできない）。従って、移動局ＭＳ１は、時刻ｔ＝Ｔｉに送信した初期アクセス要求に適合するＩＡメッセージを捜索（例えば、監視、サーチなど）する際に、再送インターバル１（ＴＩ−１）の最初の５００ｍｓを考慮するだけでよい。
・このようにして、移動局ＭＳ１及び他の移動局ＭＳが同じアクセス要求を時刻ｔ＝Ｔｉに送信する結果としてのみ、衝突が生じ得る。従って、時刻ｔ＝Ｔｉに送信されるＥＰＣＲパケットチャネル要求メッセージ内のランダムな８ビットの使用に基づいて、再送インターバル１（ＴＩ−１）にて受信される適合する割り当てメッセージについて生じる衝突の確率（ＰｏＣ）は、ＰｏＣｉ＝１／２５６である。
【００３７】
再送インターバル２  ＴＩ−２（時間インターバル２ともいう）は、時刻ｔ＝Ｔａに開始する再送インターバルであり、この時に移動局ＭＳ１は２番目のアクセス要求を送信し、当該再送インターバルは時刻ｔ＝Ｔｂに３番目のアクセス要求が送信される直前に終了する（即ち、５０３ｍｓのインターバル）。
・５００ｍｓの最悪ケースのＢＳＳ応答時間が想定されていることから、再送インターバル２（ＴＩ−２）において受信される割り当てメッセージは、時刻ｔ＝Ｔａに送信されたアクセス要求のみを反映する。従って、移動局ＭＳ１は、時刻ｔ＝Ｔａに送信した２番目のアクセス要求に適合するＩＡメッセージを捜索（例えば、監視、サーチなど）する際に、再送インターバル２（ＴＩ−２）を考慮するだけでよい（即ち、移動局ＭＳ１は、時刻ｔ＝Ｔｉに送信した１番目のアクセス要求に適合するＩＡメッセージを捜索／監視／サーチしなくてよい）。
・このようにして、移動局ＭＳ１及び他の移動局ＭＳが同じアクセス要求を時刻ｔ＝Ｔａに送信する結果として、衝突が生じ得る。従って、ｔ＝Ｔａに送信されるＥＰＣＲパケットチャネル要求メッセージ内のランダムな８ビットの使用に基づいて、再送インターバル２（ＴＩ−２）にて受信される適合する割り当てメッセージについて生じる衝突の確率（ＰｏＣ）は、ＰｏＣａ＝１／２５６である。
・なお、ＭＳは、仕様によれば最後に送信した３回分のアクセス要求メッセージのいずれかへの応答を捜索（例えば、監視、サーチなど）することになるため、再送インターバル２（ＴＩ−２）において、（即ち、対応する５００ｍｓのＢＳＳ応答時間が満了したとしても）初期のアクセス要求への応答として送信される割り当てメッセージをやはり捜索（例えば、監視、サーチなど）する。
【００３８】
再送インターバル３  ＴＩ−３（時間インターバル３ともいう）は、時刻ｔ＝Ｔｂに開始する再送インターバルであり、この時に移動局ＭＳ１は３番目のアクセス要求を送信し、当該再送インターバルは時刻ｔ＝Ｔｃに４番目のアクセス要求が送信される直前に終了する（即ち、５４９ｍｓのインターバル）。
・５００ｍｓの最悪ケースのＢＳＳ応答時間が想定されていることから、再送インターバル３（ＴＩ−３）において受信される割り当てメッセージは、時刻ｔ＝Ｔｂに送信されたアクセス要求のみを反映する。従って、移動局ＭＳ１は、時刻ｔ＝Ｔｂに送信したアクセス要求に適合するＩＡメッセージを捜索（例えば、監視、サーチなど）する際に、再送インターバル３（ＴＩ−３）の最初の５００ｍｓを考慮するだけでよい（即ち、移動局ＭＳ１は、時刻ｔ＝Ｔｉに送信したアクセス要求又は時刻ｔ＝Ｔａに送信したアクセス要求に適合するＩＡメッセージを捜索しなくてよい）。
・このようにして、移動局ＭＳ１及び他の移動局ＭＳが同じアクセス要求を時刻ｔ＝Ｔｂに送信する結果として、衝突が生じ得る。従って、ｔ＝Ｔｂに送信されるＥＰＣＲパケットチャネル要求メッセージ内のランダムな８ビットの使用に基づいて、再送インターバル３（ＴＩ−３）にて受信される適合する割り当てメッセージについて生じる衝突の確率（ＰｏＣ）は、ＰｏＣｂ＝１／２５６である。
・なお、ＭＳは、仕様によれば最後に送信した３回分のアクセス要求メッセージのいずれかへの応答を捜索（例えば、監視、サーチなど）することになるため、再送インターバル３（ＴＩ−３）において、（即ち、対応する５００ｍｓのＢＳＳ応答時間が満了したとしても）初期のアクセス要求又は２番目のアクセス要求への応答として送信される割り当てメッセージをやはり捜索（例えば、監視、サーチなど）する。
【００３９】
再送インターバル４  ＴＩ−４（時間インターバル４ともいう）は、時刻ｔ＝Ｔｃに開始する再送インターバルであり、この時に移動局ＭＳ１は４番目のアクセス要求を送信し、当該再送インターバルは時刻ｔ＝Ｔｄに５番目のアクセス要求が送信される直前に終了する（即ち、５９１ｍｓのインターバル）。
・５００ｍｓの最悪ケースのＢＳＳ応答時間が想定されていることから、再送インターバル４（ＴＩ−４）において受信される割り当てメッセージは、時刻ｔ＝Ｔｃに送信されたアクセス要求のみを反映し得る。従って、移動局ＭＳ１は、時刻ｔ＝Ｔｃに送信したアクセス要求に適合するＩＡメッセージを捜索（例えば、監視、サーチなど）する際に、再送インターバル４（ＴＩ−４）の最初の５００ｍｓを考慮するだけでよい（即ち、移動局ＭＳ１は、時刻ｔ＝Ｔｉに送信したアクセス要求、時刻ｔ＝Ｔａに送信したアクセス要求又は時刻ｔ＝Ｔｂに送信したアクセス要求に適合するＩＡメッセージを捜索（例えば、監視、サーチなど）しなくてよい）。
・このようにして、移動局ＭＳ１及び他の移動局ＭＳが同じアクセス要求を時刻ｔ＝Ｔｃに送信する結果として、衝突が生じ得る。従って、ｔ＝Ｔｃに送信されるＥＰＣＲパケットチャネル要求メッセージ内のランダムな８ビットの使用に基づいて、再送インターバル４（ＴＩ−４）にて受信される適合する割り当てメッセージについて生じる衝突の確率（ＰｏＣ）は、ＰｏＣｃ＝１／２５６である。
・なお、移動局ＭＳは、仕様によれば最後に送信した３回分のアクセス要求メッセージのいずれかへの応答を捜索（例えば、監視、サーチなど）することになるため、再送インターバル４（ＴＩ−４）において、（即ち、対応する５００ｍｓのＢＳＳ応答時間が満了したとしても）２番目のアクセス要求又は３番目のアクセス要求への応答として送信される割り当てメッセージをやはり捜索（例えば、監視、サーチなど）する。
【００４０】
再送インターバル５  ＴＩ−５（時間インターバル５ともいう）は、時刻ｔ＝Ｔｄに移動局ＭＳ１が５番目のアクセス要求を送信する時（この時点でＴ３１２６が開始する）に開始する再送インターバルであり、時刻ｔ＝ＴｅｘｐにタイマＴ３１２６が満了する時に終了する（即ち、１０９８ｍｓのインターバル）。
・５００ｍｓの最悪ケースのＢＳＳ応答時間が想定されていることから、再送インターバル５（ＴＩ−５）において受信される割り当てメッセージは、時刻ｔ＝Ｔｄに送信されたアクセス要求のみを反映し得る。従って、移動局ＭＳ１は、時刻ｔ＝Ｔｄに送信したアクセス要求に適合するＩＡメッセージを捜索（例えば、監視、サーチなど）する際に、再送インターバル５（ＴＩ−５）の最初の５００ｍｓを考慮するだけでよい（即ち、移動局ＭＳ１は、時刻ｔ＝Ｔｉに送信したアクセス要求、時刻ｔ＝Ｔａに送信したアクセス要求、時刻ｔ＝Ｔｂに送信したアクセス要求又は時刻ｔ＝Ｔｃに送信したアクセス要求に適合するＩＡメッセージを捜索（例えば、監視、サーチなど）しなくてよい）。
・このようにして、移動局ＭＳ１及び他の移動局ＭＳが同じアクセス要求を時刻ｔ＝Ｔｄに送信する結果として、衝突が生じ得る。従って、ｔ＝Ｔｄに送信されるＥＰＣＲパケットチャネル要求メッセージ内のランダムな８ビットの使用に基づいて、再送インターバル５（ＴＩ−５）にて受信される適合する割り当てメッセージについて生じる衝突の確率（ＰｏＣ）は、ＰｏＣｄ＝１／２５６である。
・なお、移動局ＭＳは、仕様によれば最後に送信した３回分のアクセス要求メッセージのいずれかへの応答を捜索（例えば、監視、サーチなど）することになるため、再送インターバル５（ＴＩ−５）において、（即ち、対応する５００ｍｓのＢＳＳ応答時間が満了したとしても）３番目のアクセス要求又は４番目のアクセス要求への応答として送信される割り当てメッセージをやはり捜索（例えば、監視、サーチなど）する。
【００４１】
図２に関して上で議論した例を踏まえ、ＯＳＡＰシステムアクセス手続を用いてシステムアクセスを試行する移動局は、直近に送信したアクセス要求にすぐに続く限られた再送インターバルの範囲内で（過去に送信した複数のアクセス要求に適合する割り当てメッセージを捜索、監視及び／又はサーチすることなく）その直近に送信したアクセス要求に適合する割り当てメッセージのみを捜索（例えば、監視、サーチなど）することにより、潜在的に電力消費を削減することができる。
・例えば、５００ｍｓという最大ＢＳＳ応答時間が適用されることをシステム情報が示している場合、移動局ＭＳは、任意の所与のアクセス要求の送信後の５００ｍｓにわたって、適合する割り当てメッセージを捜索（例えば、監視、サーチなど）するだけである。
・基地局サブシステムＢＳＳの実時間性能がより高ければ、任意の所与のアクセス要求の送信後に移動局ＭＳがより少ない時間を適合する割り当てメッセージの捜索（例えば、監視、サーチなど）に費すように、最大ＢＳＳ応答時間についてより低い値がシステム情報内で示され得る。その結果、削減された移動局ＭＳの電力消費のポテンシャルがもたらされる。
・例えば、２５０ｍｓという最大ＢＳＳ応答時間をシステム情報が示している場合、移動局ＭＳが適合する割り当てメッセージの捜索（例えば、監視、サーチなど）に費やす時間量は、５００ｍｓという最大ＢＳＳ応答時間に要するものの約半分にまで削減される。このように、最大ＢＳＳ応答時間をシステム情報が示すことを可能とすることは、実質的な移動局ＭＳの電力の節約につながるという点で、（例えば、１番目のアクセス要求がＢＳＳによって失われ、但しＢＳＳが２番目のアクセス要求を受信したケースで）有益であり得る。
・移動局は、（基地局サブシステムＢＳＳにより提供される）最悪ケースのＢＳＳ応答時間により決定される時間ウィンドウの範囲内だけで、自身の直近に送信したアクセス要求に対応する適合するＩＡメッセージを捜索（例えば、監視、サーチなど）することにより、電力消費を削減することができる。
・この電力削減の特徴は、（基地局サブシステムＢＳＳにより提供される）システム情報がこうした最悪ケースのＢＳＳ応答時間を示す場合に使用されることができる。基地局サブシステムＢＳＳにより提供される最悪ケースのＢＳＳ応答時間が無ければ、移動局ＭＳ１は、再送インターバルＴＩ−１、ＴＩ−２、ＴＩ−３、ＴＩ−４及びＴＩ−５の各々の全体にわたって、送信が近いものから複数の（例えば、３個までの）アクセス要求に対応するＩＡメッセージを捜索（例えば、監視、サーチなど）し得る。
【００４２】
最大の基地局サブシステムＢＳＳ応答時間が様々な機器ベンダの間で変化し得ること、及び実質的な移動局ＭＳの電力の節約がこの最大応答時間に基づいて可能であることを考慮して、最大（最悪ケースの）ＢＳＳ応答時間を示すことが可能となるようにシステム情報を拡張することができる（即ち、ＢＳＳがＯＳＡＰをサポートするか否かには依存しない）。より具体的には、システム情報が最大（最悪ケースの）ＢＳＳ応答時間を示し、所与のシステム構成に適用可能なＳ及びＴの値が当該最大ＢＳＳ応答時間を上回るアクセス要求メッセージ間の間隔をもたらすケースについて、次のような移動局ＭＳによる電力の節約の拡張をサポートすることができる：
・移動局ＭＳは、自身の最後に送信したアクセス要求に適合する割り当てメッセージのみを捜索（例えば、監視、サーチなど）する（即ち、ＭＳが自身の最後に送信した３回分のアクセス要求に適合する割り当てメッセージを捜索／監視／サーチするというレガシー動作をサポートすることに代わる）。
・移動局ＭＳは、示された最大（最悪ケースの）ＢＳＳ応答を活用して、任意の所与のアクセス要求の送信に続いて適合する割り当てメッセージをどれだけ長い時間捜索（例えば、監視、サーチなど）するかを決定する。
【００４３】
上述したように再送インターバル（ＴＩ）ごとに適合する即時割り当て（ＩＡ）メッセージを捜索（例えば、監視、サーチなど）する際に最悪ケースの（最大）基地局サブシステムＢＳＳ応答時間を考慮する移動局ＭＳは、図３の表における改善され／最適化された照合手続ＯＭＰに示したように、（レガシーの照合手続ＬＭＰと比較して）処理の節約を経験することができる。
【００４４】
図３によれば（シミュレーションに基づき）可能であり得る電力の節約の一例を提供するために、次のような想定がなされる：
・移動局は、９５０ｍＡｈ、３．７Ｖで総バッテリ容量３５１５ｍＷｈを有するバッテリを有する。
・ＡＧＣＨ上で受信される無線ブロックからの即時割り当てメッセージの回復の試行は、５．２ｍＷｓを消費する。
・回復された即時割り当てメッセージの内容を過去に送信したチャネル要求と照合する試行の各インスタンスは、０．０５２ｍＷｓを消費する。
・図１に示した任意の再送インターバルの期間中に受信される無線ブロックの６０％は、即時割り当てメッセージを含む。
・アップリンクＴＢＦ確立シナリオが想定され、所与の時間ピリオドＴについて、新たなアクセスが１０秒ごとに試行される（例えば、Ｔ＝１４４時間について、総アクセス試行＝（１１４＊６０＊６０）／１０＝４１０４０である）。
【００４５】
これら想定を用いて、様々な最悪ケースの基地局サブシステムＢＳＳの応答時間が、具体的な応答インターバル（ＲＩ）と共に検討され、そのＲＩにおいて、移動局ＭＳは、ＡＧＣＨ上で適合する割り当てメッセージを検出する。これらシナリオについて発明概念のいくつかの実施形態に係る照合手続（matching  procedure）を用いて実現され得る対応する電力の節約は図４、図５及び図６の表に示した通りであり、発明概念のいくつかの実施形態に係る照合手続を用いた節約のサマリが図７Ａの表に示されている。
【００４６】
［ケース１−５００ｍｓの最悪ケースのＢＳＳ応答時間］
図４の表は、５００ｍｓという最悪ケースに基づくＢＳＳ応答時間を伴う、ここで開示されるいくつかの実施形態に係る照合手続を用いてシミュレーションされた電力節約の例を示している。
・各アクセス試行の結果として移動局ＭＳが再送インターバル１  ＴＩ−１の初めの５００ｍｓ内で適合する即時割り当てメッセージを検出すると仮定すると、図７Ａに示したように、ＭＳにより電力の節約は実現されない。
・各アクセス試行の結果として移動局ＭＳが再送インターバル２  ＴＩ−２の初めの５００ｍｓ内で適合する即時割り当てメッセージを検出すると仮定すると、ここで開示されるいくつかの実施形態に係る照合手続を用いて実現される電力の節約は、４１０４０＊［（１０９．８−９９．４）＋（９９．４−９９．４）］＝４１０４０＊［１０．４＋０］＝４２６８１６ｍＷｓ≒１１８．６ｍＷｈであり、図７Ａに示したようにこれはバッテリ容量全体の約３．４％である。
・各アクセス試行の結果として移動局ＭＳが再送インターバル３の初めの５００ｍｓ内で適合する即時割り当てメッセージを検出すると仮定すると、ここで開示されるいくつかの実施形態に係る照合手続を用いて実現される電力の節約は、４１０４０＊［（１０９．８−９９．４）＋（１００．０−９９．４）＋（９９．４−９９．４）］＝４１０４０＊［１０．４＋  ．６＋０］＝４５１４４０ｍＷｓ≒１２５．４ｍＷｈであり、図７Ａに示したようにこれはバッテリ容量全体の約３．６％である。
【００４７】
［ケース２−３００ｍｓの最悪ケースのＢＳＳ応答時間］
図５の表は、３００ｍｓという最悪ケースのＢＳＳ応答時間を用いてシミュレーションされた電力節約の例を示している。
・各アクセス試行の結果として移動局ＭＳが再送インターバル１  ＴＩ−１の初めの３００ｍｓ内で適合する即時割り当てメッセージを検出すると仮定すると、図７Ａに示したように、ＭＳにより電力の節約は実現されない。
・各アクセス試行の結果として移動局ＭＳが再送インターバル２  ＴＩ−２の初めの３００ｍｓ内で適合する即時割り当てメッセージを検出すると仮定すると、ここで開示されるいくつかの実施形態に係る照合手続を用いて実現される電力の節約は、４１０４０＊［（１０９．８−６２．８）＋（６２．８−６２．８）］＝４１０４０＊［４７．０＋０］＝１９２８８８０ｍＷｓ≒５３５．８ｍＷｈであり、図７Ａに示したようにこれはバッテリ容量全体の約１５．２％である。
・各アクセス試行の結果として移動局ＭＳが再送インターバル３  ＴＩ−３の初めの３００ｍｓ内で適合する即時割り当てメッセージを検出すると仮定すると、ここで開示されるいくつかの実施形態に係る照合手続を用いて実現される電力の節約は、４１０４０＊［（１０９．８−６２．８）＋（１００．０−６２．８）＋（６２．８−６２．８）］＝４１０４０＊［４７．０＋３７．２＋０］＝３４５５５６８ｍＷｓ≒９５９．９ｍＷｈであり、図７Ａに示したようにこれはバッテリ容量全体の約２７．３％である。
【００４８】
［ケース３−２００ｍｓの最悪ケースのＢＳＳ応答時間］
図６の表は、２００ｍｓという最悪ケースのＢＳＳ応答時間を用いてシミュレーションされた電力節約の例を示している。
・各アクセス試行の結果として移動局ＭＳが再送インターバル１  ＴＩ−１の初めの２００ｍｓ内で適合する即時割り当てメッセージを検出すると仮定すると、図７Ａに示したように、ＭＳにより電力の節約は実現されない。
・各アクセス試行の結果として移動局ＭＳが再送インターバル２  ＴＩ−２の初めの２００ｍｓ内で適合する即時割り当てメッセージを検出すると仮定すると、ここで開示されるいくつかの実施形態に係る照合手続を用いて実現される電力の節約は、４１０４０＊［（１０９．８−４１．９）＋（４１．９−４１．９）］＝４１０４０＊［６７．９＋０］＝２７８６６１６ｍＷｓ≒７７４．１ｍＷｈであり、図７Ａに示したようにこれはバッテリ容量全体の約２２．０％である。
・各アクセス試行の結果として移動局ＭＳが再送インターバル３  ＴＩ−３の初めの２００ｍｓ内で適合する即時割り当てメッセージを検出すると仮定すると、ここで開示されるいくつかの実施形態に係る照合手続を用いて実現される電力の節約は、
４１０４０＊［（１０９．８−４１．９）＋（１００．０−４１．９）＋（４１．９−４１．９）］＝４１０４０＊［６７．９＋５８．１＋０］＝５１７１０４０ｍＷｓ≒１４３６ｍＷｈであり、図７Ａに示したようにこれはバッテリ容量全体の約４０．９％である。
【００４９】
図７Ａの表は、５００ｍｓ、４００ｍｓ、３００ｍｓ及び２００ｍｓという最悪ケースのＢＳＳ応答時間での、ここで開示されるいくつかの実施形態に係る照合手続を用いた潜在的な電力の節約のサマリを提供する。図示したように、より短い最悪ケースのＢＳＳ応答時間によってより大きな電力の節約を達成することができる。なぜなら、移動局ＭＳが割り当てメッセージを捜索（例えば、監視、サーチなど）する応答インターバル（ＲＩ）の期間長が低減されるからである。最初の再送インターバルＴＩ−１の応答インターバルＲＩ内に即時割り当てメッセージが受信された場合には電力の節約は達成されないが、再送が必要とされる毎に、増加する電力の節約を達成することができる。
【００５０】
レガシーの照合手続に対してここで開示される実施形態に係る照合手続を検討すると、図７Ａの表に示したように電力の節約を提供することができる。次のステップは、小規模データ送信（ＳＤＴ：small  data  transmission）のケースを検討して、ここで開示される実施形態に係る照合手続がＳＤＴの期間中の総電力消費のうちの有意な部分を表す電力の節約を提供するかを判定することである。移動局ＭＳがペイロードの６６０個のオクテットをＣＳ−１（Code  Scheme  1）を用いて符号化された３０個のＲＬＳ（Radio  Link  Protocol）データブロックを用いて送信するという、小規模データ送信ＳＤＴの具体的な例が検討される。
・２００ｍｓの最悪ケースのＢＳＳ応答時間が想定され、移動局ＭＳは、ＲＡＣＨ（Random  Access  Channel）上でアクセス要求の送信の後１００ｍｓで適合する応答を検出する。
・適合する応答を含む再送インターバルにおいて読み取られた非ＢＣＣＨ（Broadcast  Control  Channel）ブロックの合計数（概算）＝（１００／２３５）＊９＝３．８３であり、従って、ＡＧＣＨ照合試行の回数は３．８３＊０．６＝２．３回である（即ち、非ＢＣＣＨ無線ブロックの６０％が即時割り当てメッセージを含む）。
・１つのアクセス要求の送信及び１００ｍｓ後の適合する応答の検出に費やされる合計電力＝３．８３＊５．２＋２．３＊０．０５２≒２０ｍＷｓである。
・３０個のＣＳ−１で符号化されたＲＬＣデータブロックを送信する移動局ＭＳにより費やされる合計電力＝４７１．３８ｍＷｓである（ＵＬ（アップリンク）ＴＢＦ（Temporary  Block  Flow）上で３０個のＲＬＣデータブロックを送信しながらＤＬ（ダウンリンク）ＰＡＣＣＨ（Packet  Associated  Control  Channel）を監視しＵＳＦ（UpLink  State  Flag）を読み取ることに費やされる電力を含む）。
・より少ない無線ブロックを用いて（例えば、ＭＣＳ−７あるいは変調符号化方式７を用いて）同じ量のユーザプレーンペイロードを送信することは、電力消費を線型的にスケールダウンさせることになると想定される。
【００５１】
初期のアクセス要求の送信後の再送インターバル１  ＴＩ−１内に移動局ＭＳが適合するＩＡ応答を検出する場合、図７Ｂに示したように、ここで開示される実施形態に係る照合手続とレガシーの照合手続との間に、ＳＤＴ全体（即ち、アクセス要求＋アクセス応答＋ペイロード送信）について消費される電力に関し、有意な相違は存在しない。移動局が再送インターバル２  ＴＩ−２内の１００ｍｓで適合する応答を検出する場合、次があてはまる。
・レガシーの照合手続を用いて消費される合計電力は、１０９．８（ＴＩ−１から）＋２０．０（ＴＩ−２から）＋４７１．３８（３０個の無線ブロックの送信）＝６０１．１８ｍＷｓであり得る。一方、ここで開示されるいくつかの実施形態に係る照合手続を用いて消費される合計電力は、４１．９＋２０．０＋４７１．３８＝５３３．２８ｍＷｓであり得る。これにより、図７Ｂに示したように、ここで開示されるいくつかの実施形態に係る照合手続を用いて、ＳＤＴごとに１１．２９％の電力が節約されると解釈される。
・代わりに６６０個のオクテットのＳＤＴユーザプレーンペイロードの送信がＭＣＳ−７を用いてなされる場合（２＊５６＝１１２オクテット）、約６個の無線ブロックが送信されるであろう→４７１．３８ｍＷｓ／５＝９４．２８ｍＷｓとなる。レガシーの照合手続を用いて消費される合計電力は、１０９．８＋２０．０＋９４．２８＝２２４．０８ｍＷｓであり得る。一方、ここで開示されるいくつかの実施形態に係る照合手続を用いて消費される合計電力は、４１．９＋２０．０＋９４．２８＝１５６．１８ｍＷｓであり得る。これにより、図７Ｂに示したように、ここで開示されるいくつかの実施形態に係る照合手続を用いて、ＳＤＴごとに３０．３％の電力が節約されると解釈される。
・ここで開示されるいくつかの実施形態に係る照合手続を用いて節約される電力は、よって、ＳＤＴのためのユーザプレーンペイロードの送信の期間中に消費される電力の合計量と比較して有意であり得る。従って、ここで開示されるいくつかの実施形態に係る照合手続は、意義のある電力の節約を提供することができる。
【００５２】
ここで開示される実施形態に係る照合手続を可能とする移動局ＭＳは、毎秒１０ユーザから２０ユーザまでのレンジを有するユーザ到着レートからなるシステム負荷について、自身の照合時間インターバル（即ち、その応答インターバルＲＩ）を１００ｍｓにまで低減した場合、アクセス成功率への有意な影響を経験しないであう。同様に、ここで開示される実施形態に係る照合手続を可能とする移動局ＭＳは、自身のルックバック時間をレガシー動作に関連付けられる時間から１００ｍｓにまで低減した場合、そのアクセス成功率に同じような影響の無さを経験するかもしれず、一方で、遅延性能は、２００ｍｓまでは影響を受けない（それ以降はわずかに影響を受けるのみ）であろう。
【００５３】
これら性能メトリックが実質的にルックバック時間の低減によって影響されない理由は、無線条件がシステムアクセス性能について有する実際上の影響に起因する（例えば、ＲＡＣＨ衝突はルックバック時間に関わらず生じ得る）。ＡＧＣＨ上で送信されるべきアクセス応答のＢＳＳでのキューイングにより課される遅延は、ＢＳＳの実装によってある程度変化し得るが、この実装固有の変化量は、極めて動的であって、実際上、負荷条件のうちの高いパーセンテージについて１００ｍｓより小さい値を有するものと理解され得る。加えて、ここで開示されるいくつかの実施形態に係る照合手続は、移動局ＭＳがＭａｘ．Ｒｅｔｒａｎｓ（最大の再送回数Ｍ）まで所与のアクセス要求を再送するというレガシーの戦略に有意な影響が無いことから、過負荷制御に取り組むことなく、移動局ＭＳにおける電力の節約を対象とする。言い換えれば、ここで開示されるいくつかの実施形態に係る照合手続は、移動局ＭＳがＲＡＣＨ上のアクセス要求の送信／再送後のＡＧＣＨ上の適合する応答を捜索（例えば、監視、サーチなど）する時間ピリオドの期間長のみに影響を与える。
【００５４】
次に、発明概念のいくつかの実施形態が図１０、図１１及び図１２に関して以下により詳細に議論されるであろう。
【００５５】
いくつかの実施形態に従って上で議論したように、基地局サブシステムＢＳＳは、アクセス要求を送信／再送し及び応答としての割り当てメッセージを捜索（例えば、監視、サーチなど）する移動局ＭＳの動作、を定義する（Ｓ、Ｔ、Ｍ及びＲＴを含む）システムパラメータを決定する。より具体的には、基地局サブシステムＢＳＳは、移動局ＭＳからのアクセス要求に応じてその時間内に割り当てメッセージが送信されることになる当該時間ピリオドを定義する最悪ケース又は最大の応答時間を決定する。それに応じて、基地局サブシステムＢＳＳは、最悪ケースの応答時間の標識ＲＴを移動局ＭＳへ送信し、移動局ＭＳは、当該応答時間の標識を用いて応答インターバルＲＴを決定し、移動局ＭＳは当該応答インターバルにわたってアクセス要求への応答を捜索（例えば、監視、サーチなど）することとされ、それにより、移動局の電力消費及び／若しくは処理オーバヘッドが削減され、並びに／又はバッテリ寿命が増加する。
【００５６】
図１０及び図１２に示したように、基地局サブシステムのプロセッサ１０１は、ブロック１２０１において、ランダムアクセスチャネル上での移動局ＭＳのアクセス要求についてのシステムパラメータを決定する。より具体的には、基地局サブシステムのプロセッサ１０１は、応答時間（例えば、最悪ケースのあるいは最大の応答時間）を決定する。当該応答時間は、移動局ＭＳから受信されるアクセス要求に応じて期間内に割り当てメッセージが送信されることになる当該期間を定義し、その応答期間ＲＴの標識がシステムパラメータの１つとして含まれる。加えて、システムパラメータは、上で議論した通りのＳ、Ｔ及びＭを含み得る。ブロック１２０３において、基地局サブシステムのプロセッサ１０１は、（例えば、送受信器１０９及びアンテナ１１７を通じて）（応答時間の標識ＲＴを含む）システムパラメータを、例えばブロードキャスト制御チャネルＢＣＣＨ上で移動局（ＭＳ）へ送信する。
【００５７】
さらに、基地局サブシステムのプロセッサ１０１は、現行の（current）通信トラフィックに応じて、（例えば、Ｓ、Ｔ、Ｍ及びＲＴを含む）システムパラメータを動的に決定することができる。それに応じて、応答時間及び対応する標識ＲＴが、変化するトラフィックパターン、変化する負荷、一日の様々な時間などに応じて変化し得る。ブロック１２０５に示したように、システムパラメータが変化する場合、基地局サブシステムのプロセッサ１０１は、ブロック１２０１及び１２０３におけるシステムパラメータの決定及び送信の動作を繰り返し得る。
【００５８】
図１０及び図１２に関して上で議論したように、ブロードキャスト制御チャネル上で基地局サブシステムＢＳＳ１００によりシステムパラメータ（例えば、Ｓ、Ｔ、Ｍ及びＲＴ）が送信されると、移動局のプロセッサ２０１は、図１１のブロック１１０１において（図１０のメッセージ１１０１／１２０３としても示されている）、システムパラメータを（アンテナ２１７及び送受信器２０９を通じて）受信し、そのシステムパラメータは応答時間の標識ＲＴを含む。上で議論したように、応答インターバルＲＴの期間長は、基地局サブシステムＢＳＳから受信される応答時間の標識ＲＴに基づくものであり、より具体的には、応答時間の標識ＲＴは、最悪ケースの応答時間の標識であり得る。システムパラメータが受信されると、ブロック１１０３において、移動局のプロセッサ２０１は、システムパラメータを更新する。
【００５９】
図１０及び図１１のブロック１１０５において、移動局のプロセッサ２０１は、アクセス試行を開始すべきであるかを判定する。例えば、基地局サブシステムＢＳＳへのアップリンク上のパケット交換型ＰＳの送信のためにデータが利用可能であると移動局のプロセッサ２０１が判定した場合に、アクセス試行は開始され得る。ブロック１１０５においてアクセス試行が開始されると、移動局のプロセッサ２０１は、以下に議論するように、１つ又は複数のアクセス要求を送信する。以下に議論する例では、適合する割り当てメッセージが受信されない場合にアクセス試行が中断される前のアクセス試行の期間中に、移動局ＭＳにより５つまでのアクセス要求（即ち、システムパラメータＭが４に等しいことに従って、１つの初期アクセス要求及び４つのアクセス要求の再送）が送信される。
【００６０】
次に、ここで開示されるいくつかの実施形態に係る移動局ＭＳ及び基地局サブシステムＢＳＳの動作が、図１０、図１１及び図１２を参照しながら議論されるであろう。
【００６１】
ブロック１１０５におけるアクセス試行の開始に応じて、移動局のプロセッサ２０１は、図１１のブロック１１０７（図１０のメッセージ１１０７ａによっても示されている）において、第１の／初期のアクセス要求を、基地局サブシステムＢＳＳへランダムアクセスチャネルＲＡＣＨ上で（送受信器２０９及びアンテナ２１７を通じて）送信する。より具体的には、移動局のプロセッサ２０１は、第１のアクセス要求を図２に示したように時刻Ｔｉに送信し、当該第１のアクセス要求は、第１のパケットチャネル要求（例えば、ＥＰＣＲ）メッセージである。第１のアクセス要求の送信後に、移動局のプロセッサ２０１は、ブロック１１０９（図１０のブロック１１０９ａとしても示されている）において、応答インターバルＲＩの期間中に、基地局サブシステムＢＳＳから受信される第１のアクセス要求に適合する割り当てメッセージを、（アンテナ２１７及び送受信器２０９を通じて）捜索（例えば、監視、サーチなど）する。さらに、第１のアクセス要求は、アクセス試行の期間中に移動局のプロセッサ２０１により送信される他のアクセス要求に対して一意である識別用のビットシーケンスを含む。
【００６２】
ブロック１１０９（図１０のブロック１１０９ａとしても示されている）、１１１１及び／又は１１１３において、第１のアクセス要求に適合する（例えば、第１のアクセス要求の識別用のビットシーケンスに適合する識別用のビットシーケンスを有する）割り当てメッセージが第１の応答インターバルＲＩの期間中に移動局のプロセッサ２０１により（アンテナ２１７及び送受信器２０９を通じて）受信されると、移動局のプロセッサ２０１は、当該割り当てメッセージの受信に応じて、ブロック１１２１において、基地局サブシステムＢＳＳへパケット交換型ＰＳの通信信号を（送受信器２０９及びアンテナ２１７を通じて）送信する。アクセス試行はアップリンク割り当てに帰結したため、ブロック１１０５において別のアクセス試行が開始されるまで、後続のアクセス要求は必要とされない。ブロック１１０９図１０のブロック１１０９ａとしても示されている）、１１１１及び／又は１１１３において、第１の応答インターバルＲＩの満了の前に移動局のプロセッサ２０１により（アンテナ２１７及び送受信器２０９を通じて）第１のアクセス要求に適合する割り当てメッセージが受信されない場合、移動局のプロセッサ２０１は、次のアクセス要求の送信前に、図１１のブロック１１１５（図１０のブロック１１１５ａにも示されている）において、再送インターバルＴＩ−１の満了／終了まで待ち続ける。
【００６３】
図２に関して上で議論したように、再送インターバルＴＩ−１は、システムパラメータ（例えば、Ｓ及びＴ）により定義されることができ、再送インターバルＴＩ−１は、応答インターバルＲＩよりも長い。従って、応答インターバルＲＩの満了後に第１のアクセス要求に適合する割り当てメッセージの捜索（例えば、監視、サーチなど）を終了させることにより、移動局の電力消費及び／若しくは処理オーバヘッドは削減され、並びに／又は移動局のバッテリ寿命は増加し得る。それに応じて、移動局のプロセッサ２０１は、図１１のブロック１１１５（図１０のブロック１１１５ａによっても示されている）において、第１の応答インターバルＲＩの満了と再送インターバルＴＩ−１の満了後の第２のアクセス要求の送信との間に第１のアクセス要求に適合する割り当てメッセージを監視することなく待機するであろう。
【００６４】
ブロック１１０９／１１０９ａ、１１１１及び１１１３における第１の応答インターバルＲＩの期間中の第１のアクセス要求に適合する割り当てメッセージの受信の失敗に応じて、及びブロック１１１５／１１１５ａにおける再送インターバルＴＩ−１の満了に応じて、移動局のプロセッサ２０１は、図１１のブロック１１０７（図１０のメッセージ１１０７ｂによっても示されている）において、アクセス試行のための第２のアクセス要求を、基地局サブシステムＢＳＳへランダムアクセスチャネルＲＡＣＨ上で（送受信器２０９及びアンテナ２１７を通じて）送信する。第２のアクセス要求は、アクセス試行のためのアクセス要求の最初の再送として言及されてもよい。より具体的には、移動局のプロセッサ２０１は、第２のアクセス要求を図２に示したように時刻Ｔａに送信し、当該第２のアクセス要求は、第２のパケットチャネル要求（例えば、ＥＰＣＲ）メッセージである。第２のアクセス要求の送信後に、移動局のプロセッサ２０１は、ブロック１１０９（図１０のブロック１１０９ａとしても示されている）において、第２の応答インターバルＲＩの期間中に、基地局サブシステムＢＳＳから受信される第２のアクセス要求に適合する割り当てメッセージを、（アンテナ２１７及び送受信器２０９を通じて）捜索（例えば、監視、サーチなど）する。さらに、第２のアクセス要求は、アクセス試行の期間中に移動局のプロセッサ２０１により送信される他のアクセス要求に対して一意である識別用のビットシーケンスを含む。より具体的には、第１のアクセス要求及び第２のアクセス要求についての識別用のビットシーケンスは異なる。
【００６５】
ブロック１１０９（図１０のブロック１１０９ｂとしても示されている）、１１１１及び／又は１１１３において、第２のアクセス要求に適合する（例えば、第２のアクセス要求の識別用のビットシーケンスに適合する識別用のビットシーケンスを有する）割り当てメッセージが第２の応答インターバルＲＩの期間中に移動局のプロセッサ２０１により（アンテナ２１７及び送受信器２０９を通じて）受信されると、移動局のプロセッサ２０１は、当該割り当てメッセージの受信に応じて、ブロック１１２１において、基地局サブシステムＢＳＳへパケット交換型ＰＳの通信信号を（送受信器２０９及びアンテナ２１７を通じて）送信する。アクセス試行はアップリンク割り当てに帰結したため、ブロック１１０５において別のアクセス試行が開始されるまで、後続のアクセス要求は必要とされない。ブロック１１０９（図１０のブロック１１０９ｂとしても示されている）、１１１１及び／又は１１１３において、第２の応答インターバルＲＩの満了の前に移動局のプロセッサ２０１により（アンテナ２１７及び送受信器２０９を通じて）第２のアクセス要求に適合する割り当てメッセージが受信されない場合、移動局のプロセッサ２０１は、次のアクセス要求の送信前に、図１１のブロック１１１５（図１０のブロック１１１５ｂにも示されている）において、再送インターバルＴＩ−１の満了／終了まで待ち続ける。
【００６６】
図２に関して上で議論したように、再送インターバルＴＩ−２は、システムパラメータ（例えば、Ｓ及びＴ）により定義されることができ、再送インターバルＴＩ−２は、応答インターバルＲＩよりも長い。従って、応答インターバルＲＩの満了後に第２のアクセス要求に適合する割り当てメッセージの捜索（例えば、監視、サーチなど）を終了させることにより、移動局の電力消費及び／若しくは処理オーバヘッドは削減され、並びに／又は移動局のバッテリ寿命は増加し得る。それに応じて、移動局のプロセッサ２０１は、図１１のブロック１１１５（図１０のブロック１１１５ｂによっても示されている）において、第２の応答インターバルＲＩの満了と再送インターバルＴＩ−２の満了後の第３のアクセス要求の送信との間に第２のアクセス要求（又は第１のアクセス要求）に適合する割り当てメッセージを監視することなく待機するであろう。
【００６７】
第１のアクセス要求及び第２のアクセス要求は異なる識別用のビットシーケンスを含むため、移動局のプロセッサ２０１は、（例えば、図１０のブロック１１０９ｂにおいて）第２の応答インターバルＲＩの期間中に、第１のアクセス要求に適合する割り当てメッセージを監視することなく、第２のアクセス要求のみに適合する割り当てメッセージを捜索（例えば、監視、サーチなど）することができる。
【００６８】
ブロック１１０９／１１０９ｂ、１１１１及び１１１３における第２の応答インターバルＲＩの期間中の第２のアクセス要求に適合する割り当てメッセージの受信の失敗に応じて、及びブロック１１１５／１１１５ｂにおける再送インターバルＴＩ−２の満了に応じて、移動局のプロセッサ２０１は、図１１のブロック１１０７（図１０のメッセージ１１０７ｃによっても示されている）において、アクセス試行のための第３のアクセス要求を、基地局サブシステムＢＳＳへランダムアクセスチャネルＲＡＣＨ上で（送受信器２０９及びアンテナ２１７を通じて）送信する。第３のアクセス要求は、アクセス試行のためのアクセス要求の２番目の再送として言及されてもよい。より具体的には、移動局のプロセッサ２０１は、第３のアクセス要求を図２に示したように時刻Ｔｂに送信し、当該第３のアクセス要求は、第３のパケットチャネル要求（例えば、ＥＰＣＲ）メッセージである。第３のアクセス要求の送信後に、移動局のプロセッサ２０１は、図１１のブロック１１０９（図１０のブロック１１０９ｃとしても示されている）において、第３の応答インターバルＲＩの期間中に、基地局サブシステムＢＳＳから受信される第３のアクセス要求に適合する割り当てメッセージを、（アンテナ２１７及び送受信器２０９を通じて）捜索（例えば、監視、サーチなど）する。さらに、第３のアクセス要求は、アクセス試行の期間中に移動局のプロセッサ２０１により送信される他のアクセス要求に対して一意である識別用のビットシーケンスを含む。より具体的には、第３のアクセス要求についての識別用のビットシーケンスは、第１のアクセス要求及び第２のアクセス要求のいずれについての識別用のビットシーケンスとも異なる。
【００６９】
ブロック１１０９／１１０９ｃ、１１１１及び／又は１１１３において、第３のアクセス要求に適合する（例えば、第３のアクセス要求の識別用のビットシーケンスに適合する識別用のビットシーケンスを有する）割り当てメッセージが第３の応答インターバルＲＩの期間中に移動局のプロセッサ２０１により（アンテナ２１７及び送受信器２０９を通じて）受信されると、移動局のプロセッサ２０１は、当該割り当てメッセージの受信に応じて、ブロック１１２１において、基地局サブシステムＢＳＳへパケット交換型ＰＳの通信信号を（送受信器２０９及びアンテナ２１７を通じて）送信する。アクセス試行はアップリンク割り当てに帰結したため、ブロック１１０５において別のアクセス試行が開始されるまで、後続のアクセス要求は必要とされない。ブロック１１０９／１１０９ｃ、１１１１及び／又は１１１３において、第３の応答インターバルＲＩの満了の前に移動局のプロセッサ２０１により（アンテナ２１７及び送受信器２０９を通じて）第３のアクセス要求に適合する割り当てメッセージが受信されない場合、移動局のプロセッサ２０１は、次のアクセス要求の送信前に、図１１のブロック１１１５（図１０のブロック１１１５ｃにも示されている）において、再送インターバルＴＩ−３の満了／終了まで待ち続ける。
【００７０】
図２に関して上で議論したように、再送インターバルＴＩ−３は、システムパラメータ（例えば、Ｓ及びＴ）により定義されることができ、再送インターバルＴＩ−３は、応答インターバルＲＩよりも長い。従って、応答インターバルＲＩの満了後に第３のアクセス要求に適合する割り当てメッセージの捜索（例えば、監視、サーチなど）を終了させることにより、移動局の電力消費及び／若しくは処理オーバヘッドは削減され、並びに／又は移動局のバッテリ寿命は増加し得る。それに応じて、移動局のプロセッサ２０１は、図１１のブロック１１１５（図１０のブロック１１１５ｃによっても示されている）において、第３の応答インターバルＲＩの満了と再送インターバルＴＩ−３の満了後の第４のアクセス要求の送信との間に第３のアクセス要求（又は過去２つのアクセス要求のいずれか）に適合する割り当てメッセージを監視することなく待機するであろう。
【００７１】
第１のアクセス要求、第２のアクセス要求及び第３のアクセス要求は異なる識別用のビットシーケンスを含むため、移動局のプロセッサ２０１は、（例えば、図１０のブロック１１０９ｃにおいて）第３の応答インターバルＲＩの期間中に、第１及び／又は第２のアクセス要求のいずれかに適合する割り当てメッセージを監視することなく、第３のアクセス要求のみに適合する割り当てメッセージを捜索（例えば、監視、サーチなど）することができる。
【００７２】
ブロック１１０９／１１０９ｃ、１１１１及び１１１３における第３の応答インターバルＲＩの期間中の第３のアクセス要求に適合する割り当てメッセージの受信の失敗に応じて、及びブロック１１１５／１１１５ｃにおける再送インターバルＴＩ−３の満了に応じて、移動局のプロセッサ２０１は、図１１のブロック１１０７（図１０のメッセージ１１０７ｄによっても示されている）において、アクセス試行のための第４のアクセス要求を、基地局サブシステムＢＳＳへランダムアクセスチャネルＲＡＣＨ上で（送受信器２０９及びアンテナ２１７を通じて）送信する。第４のアクセス要求は、アクセス試行のためのアクセス要求の３番目の再送として言及されてもよい。より具体的には、移動局のプロセッサ２０１は、第４のアクセス要求を図２に示したように時刻Ｔｃに送信し、当該第４のアクセス要求は、第４のパケットチャネル要求（例えば、ＥＰＣＲ）メッセージである。第４のアクセス要求の送信後に、移動局のプロセッサ２０１は、図１１のブロック１１０９（図１０のブロック１１０９ｄとしても示されている）において、第４の応答インターバルＲＩの期間中に、基地局サブシステムＢＳＳから受信される第４のアクセス要求に適合する割り当てメッセージを、（アンテナ２１７及び送受信器２０９を通じて）捜索（例えば、監視、サーチなど）する。さらに、第４のアクセス要求は、アクセス試行の期間中に移動局のプロセッサ２０１により送信される他のアクセス要求に対して一意である識別用のビットシーケンスを含む。より具体的には、第４のアクセス要求についての識別用のビットシーケンスは、第１、第２及び第３のアクセス要求のいずれについての識別用のビットシーケンスとも異なる。
【００７３】
ブロック１１０９／１１０９ｄ、１１１１及び／又は１１１３において、第４のアクセス要求に適合する（例えば、第４のアクセス要求の識別用のビットシーケンスに適合する識別用のビットシーケンスを有する）割り当てメッセージが第４の応答インターバルＲＩの期間中に移動局のプロセッサ２０１により（アンテナ２１７及び送受信器２０９を通じて）受信されると、移動局のプロセッサ２０１は、当該割り当てメッセージの受信に応じて、ブロック１１２１において、基地局サブシステムＢＳＳへパケット交換型ＰＳの通信信号を（送受信器２０９及びアンテナ２１７を通じて）送信する。アクセス試行はアップリンク割り当てに帰結したため、ブロック１１０５において別のアクセス試行が開始されるまで、後続のアクセス要求は必要とされない。ブロック１１０９／１１０９ｄ、１１１１及び／又は１１１３において、第４の応答インターバルＲＩの満了の前に移動局のプロセッサ２０１により（アンテナ２１７及び送受信器２０９を通じて）第４のアクセス要求に適合する割り当てメッセージが受信されない場合、移動局のプロセッサ２０１は、次のアクセス要求の送信前に、図１１のブロック１１１５（図１０のブロック１１１５ｄにも示されている）において、再送インターバルＴＩ−４の満了／終了まで待ち続ける。
【００７４】
図２に関して上で議論したように、再送インターバルＴＩ−４は、システムパラメータ（例えば、Ｓ及びＴ）により定義されることができ、再送インターバルＴＩ−４は、応答インターバルＲＩよりも長い。従って、応答インターバルＲＩの満了後に第４のアクセス要求に適合する割り当てメッセージの捜索（例えば、監視、サーチなど）を終了させることにより、移動局の電力消費及び／若しくは処理オーバヘッドは削減され、並びに／又は移動局のバッテリ寿命は増加し得る。それに応じて、移動局のプロセッサ２０１は、図１１のブロック１１１５（図１０のブロック１１１５ｄによっても示されている）において、第４の応答インターバルＲＩの満了と再送インターバルＴＩ−４の満了後の第５のアクセス要求の送信との間に第４のアクセス要求（又は過去３つのアクセス要求のいずれか）に適合する割り当てメッセージを監視することなく待機するであろう。
【００７５】
第１のアクセス要求、第２のアクセス要求、第３のアクセス要求及び第４のアクセス要求は異なる識別用のビットシーケンスを含むため、移動局のプロセッサ２０１は、（例えば、図１０のブロック１１０９ｄにおいて）第４の応答インターバルＲＩの期間中に、第１、第２又は第３のアクセス要求のいずれかに適合する割り当てメッセージを監視することなく、第４のアクセス要求のみに適合する割り当てメッセージを捜索（例えば、監視、サーチなど）することができる。
【００７６】
ブロック１１０９／１１０９ｄ、１１１１及び１１１３における第４の応答インターバルＲＩの期間中の第４のアクセス要求に適合する割り当てメッセージの受信の失敗に応じて、及びブロック１１１５／１１１５ｄにおける再送インターバルＴＩ−４の満了に応じて、移動局のプロセッサ２０１は、図１１のブロック１１０７（図１０のメッセージ１１０７ｅによっても示されている）において、アクセス試行のための第５のアクセス要求を、基地局サブシステムＢＳＳへランダムアクセスチャネルＲＡＣＨ上で（送受信器２０９及びアンテナ２１７を通じて）送信する。第５のアクセス要求は、アクセス試行のためのアクセス要求の４番目の再送として言及されてもよい。より具体的には、移動局のプロセッサ２０１は、第５のアクセス要求を図２に示したように時刻Ｔｄに送信し、当該第５のアクセス要求は、第５のパケットチャネル要求（例えば、ＥＰＣＲ）メッセージである。第５のアクセス要求の送信後に、移動局のプロセッサ２０１は、図１１のブロック１１０９（図１０のブロック１１０９ｅとしても示されている）において、第５の応答インターバルＲＩの期間中に、基地局サブシステムＢＳＳから受信される第５のアクセス要求に適合する割り当てメッセージを、（アンテナ２１７及び送受信器２０９を通じて）捜索（例えば、監視、サーチなど）する。さらに、第５のアクセス要求は、アクセス試行の期間中に移動局のプロセッサ２０１により送信される他のアクセス要求に対して一意である識別用のビットシーケンスを含む。より具体的には、第５のアクセス要求についての識別用のビットシーケンスは、第１、第２、第３及び第４のアクセス要求のいずれについての識別用のビットシーケンスとも異なる。
【００７７】
ブロック１１０９／１１０９ｅ、１１１１及び／又は１１１３において、第５のアクセス要求に適合する（例えば、第５のアクセス要求の識別用のビットシーケンスに適合する識別用のビットシーケンスを有する）割り当てメッセージが第５の応答インターバルＲＩの期間中に移動局のプロセッサ２０１により（アンテナ２１７及び送受信器２０９を通じて）受信されると、移動局のプロセッサ２０１は、当該割り当てメッセージの受信に応じて、ブロック１１２１において、基地局サブシステムＢＳＳへパケット交換型ＰＳの通信信号を（送受信器２０９及びアンテナ２１７を通じて）送信する。アクセス試行はアップリンク割り当てに帰結したため、ブロック１１０５において別のアクセス試行が開始されるまで、後続のアクセス要求は必要とされない。ブロック１１０９／１１０９ｅ、１１１１及び／又は１１１３において、第５の応答インターバルＲＩの満了の前に移動局のプロセッサ２０１により（アンテナ２１７及び送受信器２０９を通じて）第５のアクセス要求に適合する割り当てメッセージが受信されない場合、移動局のプロセッサ２０１は、ブロック１１９においてアクセス試行を中断する前に、図１１のブロック１１１５（図１０のブロック１１１５ｅにも示されている）において、再送インターバルＴＩ−５の満了／終了まで待ち続ける。
【００７８】
図２に関して上で議論したように、再送インターバルＴＩ−５は、システムパラメータ（例えば、Ｓ及びＴ）により定義されることができ、再送インターバルＴＩ−５は、応答インターバルＲＩよりも長い。従って、応答インターバルＲＩの満了後に第５のアクセス要求に適合する割り当てメッセージの捜索（例えば、監視、サーチなど）を終了させることにより、移動局の電力消費及び／若しくは処理オーバヘッドは削減され、並びに／又は移動局のバッテリ寿命は増加し得る。それに応じて、移動局のプロセッサ２０１は、図１１のブロック１１１５（図１０のブロック１１１５ｅによっても示されている）において、第５の応答インターバルＲＩの満了と再送インターバルＴＩ−５の満了後のアクセス試行の中断との間に第５のアクセス要求（又は過去４つのアクセス要求のいずれか）に適合する割り当てメッセージを監視することなく待機するであろう。
【００７９】
第１のアクセス要求、第２のアクセス要求、第３のアクセス要求、第４のアクセス要求及び第５のアクセス要求は異なる識別用のビットシーケンスを含むため、移動局のプロセッサ２０１は、（例えば、図１０のブロック１１０９ｅにおいて）第５の応答インターバルＲＩの期間中に、第１、第２、第３又は第４のアクセス要求のいずれかに適合する割り当てメッセージを監視することなく、第５のアクセス要求のみに適合する割り当てメッセージを捜索（例えば、監視、サーチなど）することができる。
【００８０】
ブロック１１０７、１１０９、１１１１、１１１３及び１１１５の動作は、よって、最大回数のアクセス要求が送信／再送されるまで、同じアクセス試行について繰り返され、アクセス要求の最大回数は、基地局サブシステムＢＢＳによりブロードキャストされるシステムパラメータＭにより定義されることができる。ここで開示されるいくつかの実施形態によれば、アクセス試行を中断する前にブロック１１１７において５回までアクセス要求（あるいは４回の再送）が可能とされるが、例えば基地局サブシステムＢＳＳによりブロードキャストされるシステムパラメータに依存して、より少ない又はより多くのアクセス要求が可能とされてもよい。ここで開示されるいくつかの実施形態によれば、アクセス試行の各アクセス要求についての応答インターバルＲＩは、図２に示したように、同一の期間長を有することができる。
【００８１】
本発明概念の多様な実施形態の上の説明において、理解されるべきこととして、そこで使用される専門用語は、単に特定の実施形態の説明の目的のためのものであって、当該発明概念の限定を意図したものではない。特段の定義が無ければ、使用されている（技術的用語及び学術的用語を含む）全ての用語は、本発明概念が属する分野における当業者により共通的に理解されるものと同じ意味を有する。さらに、一般に使用される辞書において定義されるような用語は、本明細書及び関連技術の文脈における意味と整合する意味を有するものとして解釈されるべきであって、ここで文字通り定義される理想化され又は過度に型通りの意味で解釈されないことが理解されるであろう。
【００８２】
あるエレメントが別のエレメントに「接続され（connected）」、「連結され（coupled）」、「応じる（responsive）」又はその派生語として言及される場合、それは当該別のエレメントに直接接続され、連結され、若しくは応じることができ、又は介在するエレメントが存在してもよい。対照的に、あるエレメントが別のエレメントに「直接接続され（directly  connected）」、「直接連結され（directly  coupled）」、「直接応じる（directly  responsive）」又はその派生語として言及される場合、介在するエレメントは存在しない。同様の番号は、全体を通じて同様のエレメントを指す。さらに、ここで使用されるところでは、「連結される」、「接続される」、「応じる」又はその派生語は、無線で連結され、接続され、又は応じることを含み得る。ここで使用されるところでは、単数形の「ａ」、「ａｎ」及び「ｔｈｅ」は、そうではないことを文脈が明確に示さない限り、複数形も同様に含むことが意図される。周知の機能又は構造は、簡潔さ及び／又は明確さのために詳細には説明されないことがあり得る。「及び／又は」という用語は、関連付けられる列挙された事項のうちの１つ以上のありとあらゆる組み合わせを含む。
【００８３】
ここで使用されるところでは、「備える／含む（comprise、comprising、comprises）」、「含む（include、including、includes）」、「有する（have、has、having）」又はそれらの派生語といった用語は、オープンエンド（open-ended）であり、１つ以上の記載された特徴、整数、エレメント、ステップ、コンポーネント又は機能を含むが、１つ以上の他の特徴、整数、エレメント、ステップ、コンポーネント、機能又はこれらの集合の存在又は追加を排除しない。さらに、ここで使用されるところでは、ラテン語のフレーズ「exempli  gratia」に由来する「e.g.（例えば）」という共通的な省略形は、その前に言及された事項の一般的な１つ又は複数の例を紹介し又は特定するために用いられ、そのような事項を限定することは意図されない。ラテン語のフレーズ「id  est」に由来する共通的な省略形「i.e.（即ち）」は、より一般的な記述から個別の事項を特定するために用いられ得る。
【００８４】
種々のエレメント／動作を説明するためにここでは第１、第２、第３などの用語が使用されているかもしれないが、それらエレメント／動作はそれら用語により限定されないことが理解されるであろう。それら用語は、単にあるエレメント／動作と他のエレメント／動作とを区別するために使用されている。よって、いくつかの実施形態における第１のエレメント／動作を、本発明概念の教示から逸脱することなく、他の実施形態において第２のエレメント／動作と称することができる。同一の参照番号又は同一の指定子（designators）は、本明細書を通じて同一の又は類似のエレメントを表す。
【００８５】
例示的な実施形態は、コンピュータにより実装される方法、装置（システム及び／若しくはデバイス）並びに／又はコンピュータプログラムプロダクトのブロック図及び／又はフローチャートによる例示を参照しつつ、ここで説明されている。ブロック図及び／又はフローチャートの説明のうちの１つのブロック、並びにブロック図及び／又はフローチャートの説明における複数のブロックの組み合わせは、１つ以上のコンピュータ回路によって実行されるコンピュータプログラム命令によって実装され得ることが理解される。これらのコンピュータプログラム命令は、汎用コンピュータ回路、特殊用途コンピュータ回路、及び／又はマシンを産み出すための他のプログラマブルデータ処理回路、のプロセッサ回路に提供されてもよく、それによって、コンピュータ及び／又は他のプログラマブルデータ処理装置のプロセッサを介して実行される当該命令は、そのような回路内のトランジスタ、メモリロケーションに記憶される値、及び他のハードウェアコンポーネントを変形し及び制御して、ブロック図及び／又はフローチャートの１つ又は複数のブロックにおいて特定される機能／動作を実装し、それによって、当該ブロック図及び／又はフローチャートのブロックにおいて特定される当該機能／動作を実装するための手段（機能性）及び／又は構造を生成し得る。
【００８６】
これらのコンピュータプログラム命令は、コンピュータ又は他のプログラマブルデータ処理装置に特定の手法で機能するように指示することができる有形のコンピュータ読取可能な媒体に記憶されてもよく、それによって、当該コンピュータ読取可能な媒体に記憶される当該命令は、ブロック図及び／又はフローチャートの１つ又は複数のブロックにおいて特定される機能／動作を実装する命令を含む製品を産み出す。
【００８７】
有形の非一時的なコンピュータ読取可能な媒体は、電子的な、磁気的な、光学的な、電磁気的な、又は半導体のデータストレージシステム、装置、又はデバイスを含み得る。コンピュータ読取可能な媒体のより具体的な例は、以下を含むであろう：ポータブルコンピュータディスケット、ＲＡＭ（random  access  memory）回路、ＲＯＭ（read-only  memory）回路、ＥＰＲＯＭ（erasable  programmable  read-only  memory）又はフラッシュメモリ回路、ポータブルＣＤ−ＲＯＭ（compact  disc  read-only  memory）、及びポータブルＤＶＤ（digital  video  disc）ＲＯＭ／BlueRay。
【００８８】
コンピュータプログラム命令は、コンピュータ及び／又は他のプログラマブルデータ処理装置にロードされ、一連の動作ステップが当該コンピュータ及び／又は他のプログラマブル装置上で実行されて、コンピュータ実装される処理を生成し、それによって、当該コンピュータ又は他のプログラマブル装置上で実行される上記命令は、ブロック図及び／又はフローチャートの１つ又は複数のブロックにおいて特定される機能／動作を実装するためのステップを提供する。従って、本発明概念の実施形態を、ハードウェア及び／又はソフトウェア（ファームウェア、常駐ソフトウェア、マイクロコードなどを含む）で具現化することができ、それらは「回路」、「モジュール」又はそれらの派生語で包括的に言及され得る、デジタル信号プロセッサといったプロセッサ上で稼働する。
【００８９】
幾つかの代替的な実装において、ブロック内に記述される機能／動作はフローチャートにおいて記述される順序とは異なる順序で発生し得ることにも留意すべきである。例えば、連続して示される２つのブロックは、実際には、実質的に同時に実行されてもよく、又は、これらのブロックは、関与する機能／動作に依存して、逆の順序で実行されることがあってもよい。さらに、フローチャート及び／又はブロック図の所与のブロックの機能性は、複数のブロックに分けられてもよく、並びに／又は、フローチャート及び／若しくはブロック図の２つ以上のブロックの機能性は、少なくとも部分的に統合されてもよい。最後に、本発明概念の範囲から逸脱することなく、例示されるブロック間に他のブロックが追加され／挿入されてもよく、ブロック／動作が省略されてもよい。また、図のうちのいくつかは、通信の主な方向を示すために通信パス上に矢印を含むが、図示される矢印とは反対の方向において通信が生じ得ることが理解されるべきである。
【００９０】
上の説明及び図面との関係において、多くの異なる実施形態をここで開示した。それら実施形態のあらゆる組合せ及び副次的な組合せを文字通り説明し例示することは、過度に反復的で分かりにくくなることが理解されるであろう。そのため、本明細書は、図面を含めて、実施形態の多様な例示的な組合せ及び副次的な組合せと、それらを活用するやり方及び処理との、完全な書面での説明を構成するものと解釈されるべきであって、任意のそうした組合せ及び副次的な組合せについての請求項を裏付けるものとする。
【００９１】
本発明概念の原理から実質的に逸脱することなく、多くの変形及び修正が上記実施形態になされることができる。そのような変形及び修正の全ては、本発明概念の範囲内に含まれることが意図される。従って、上述した要旨は説明のためであって、限定的なものと見なされるべきでなく、添付の特許請求の範囲は、本発明概念の思想及び範囲に入る、そうした修正、拡張及び他の実施形態の全てをカバーすることを意図される。
【図１】
2015513248.tif 000003
【図２】
2015513248.tif 000004
【図３】
2015513248.tif 000005
【図４】
2015513248.tif 000006
【図５】
2015513248.tif 000007
【図６】
2015513248.tif 000008
【図７Ａ】
2015513248.tif 000009
【図７Ｂ】
2015513248.tif 000010
【図８】
2015513248.tif 000011
【図９】
2015513248.tif 000012
【図１０】
2015513248.tif 000013
【図１１】
2015513248.tif 000014
【図１２】
2015513248.tif 000015
【国際調査報告】
2015513248.tif 000016
2015513248.tif 000017
2015513248.tif 000018